(57)【要約】【課題】背景の視認性及び表示品位を向上することが可能な表示装置を提供する。【解決手段】表示装置は、複数の画素電極と共通電極と表示機能層とを有する表示パネルＰＮＬと、光源ユニットと、制御部と、を備える。表示領域ＤＡの第１領域Ａ１にキャラクタＣＨ１を表示する際、上記制御部は、第１領域Ａ１に無彩色以外の色を表示し、第２領域Ａ２を透明にし、非対象領域ＮＯＡを透明にする。非対象領域ＮＯＡの透明度は、第２領域Ａ２の透明度より高い。【選択図】図１２
2018120024.tif 000002
【特許請求の範囲】
【請求項１】
それぞれ表示領域に位置し複数行に設けられた複数の画素電極と、前記表示領域に位置した共通電極と、前記表示領域に位置した表示機能層と、を有する表示パネルと、
前記表示パネルの前記表示領域と対向する領域の外側に位置し前記表示機能層に無彩色以外の色の光を照射する光源ユニットと、
前記複数の画素電極、前記共通電極、及び前記光源ユニットのそれぞれの駆動を制御する制御部と、を備え、
前記表示領域の第１領域にキャラクタを表示する際、前記制御部は、前記第１領域に無彩色以外の色を表示し、少なくとも前記第１領域の位置する行の全域を含む対象領域のうち前記第１領域以外の第２領域を透明にし、前記表示領域のうち前記対象領域以外の非対象領域を透明にし、
前記非対象領域の透明度は、前記第２領域の透明度より高い、表示装置。
【請求項２】
前記複数の画素電極は、前記第１領域に位置する第１画素電極と、前記第２領域に位置する第２画素電極と、前記非対象領域に位置する第３画素電極と、を含み、
前記表示機能層は、
前記第１画素電極と前記共通電極との間に印加される電圧が印加される第１表示機能層と、前記第２画素電極と前記共通電極との間に印加される電圧が印加される第２表示機能層と、前記第３画素電極と前記共通電極との間に印加される電圧が印加される第３表示機能層と、を含み、
散乱電圧が印加された場合に入射される光を散乱させ、第１透明電圧が印加された場合に入射される光の平行度を維持し、第２透明電圧が印加された場合に入射される光の平行度を維持し、
前記第２透明電圧が印加された場合に前記表示機能層を透過する光の平行度は、前記第１透明電圧が印加された場合に前記表示機能層を透過する光の平行度より高く、
前記散乱電圧が印加された場合に前記表示機能層を透過する光の散乱度は、前記第１透明電圧が印加された場合に前記表示機能層を透過する光の散乱度より高く、
前記第１領域に前記キャラクタを表示する際、前記制御部は、
前記第１表示機能層に前記散乱電圧を印加し、
前記第２表示機能層に前記第１透明電圧を印加し、
前記第３表示機能層に前記第２透明電圧を印加する、
請求項１に記載の表示装置。
【請求項３】
前記第１領域に前記キャラクタを表示する期間のうちの１フレーム期間に、前記制御部は、
前記光源ユニットを駆動し記表示機能層に光を照射させ、
前記表示機能層に光が照射される期間に、前記第１表示機能層に前記散乱電圧を印加し、前記第２表示機能層に前記第１透明電圧を印加し、前記第３表示機能層に前記第２透明電圧を印加する、
請求項２に記載の表示装置。
【請求項４】
前記光源ユニットは、前記表示機能層に第１色の光を照射する第１発光素子と、前記表示機能層に第２色の光を照射する第２発光素子と、前記表示機能層に第３色の光を照射する第３発光素子と、を有し、
前記１フレーム期間は、前記第１発光素子が前記第１色の光を照射する第１サブフレーム期間と、前記第２発光素子が前記第２色の光を照射する第２サブフレーム期間と、前記第３発光素子が前記第３色の光を照射する第３サブフレーム期間と、を有し、
前記制御部は、
前記第１サブフレーム期間、前記第２サブフレーム期間、及び前記第３サブフレーム期間の全ての期間に、前記第２表示機能層に前記第１透明電圧を印加し、前記第３表示機能層に前記第２透明電圧を印加し、
前記第１サブフレーム期間、前記第２サブフレーム期間、及び前記第３サブフレーム期間の一以上のサブフレーム期間に、前記第１表示機能層に前記散乱電圧を印加する、
請求項３に記載の表示装置。
【請求項５】
前記１フレーム期間は、前記１フレーム期間の先頭の期間である第１リセット期間をさらに有し、
前記制御部は、
前記第１リセット期間に、前記第１表示機能層、前記第２表示機能層、及び前記第３表示機能層にそれぞれ前記第２透明電圧を印加し、前記光源ユニットを前記表示機能層に光を照射しない消灯状態に切替える、
請求項４に記載の表示装置。
【請求項６】
前記１フレーム期間は、前記第１サブフレーム期間と前記第２サブフレーム期間との間の第２リセット期間と、前記第２サブフレーム期間と前記第３サブフレーム期間との間の第３リセット期間と、をさらに有し、
前記制御部は、
前記第２リセット期間及び前記第３リセット期間に、前記第１表示機能層、前記第２表示機能層、及び前記第３表示機能層にそれぞれ前記第２透明電圧を印加し、前記光源ユニットを前記表示機能層に光を照射しない消灯状態に切替える、
請求項５に記載の表示装置。
【請求項７】
前記表示パネルは、行方向に延在する複数本の走査線をさらに有し、
前記第１画素電極と前記第２画素電極とは、前記複数本の走査線のうち同一の１本の走査線に電気的に接続され、
前記第３画素電極は、前記複数本の走査線のうち別の１本の走査線に電気的に接続されている、
請求項２に記載の表示装置。
【請求項８】
前記表示機能層は、リバース型ポリマーディスパーズド液晶を利用した液晶層であり、
前記散乱電圧は、正極性の散乱電圧と、負極性の散乱電圧と、を有し、
前記第１領域に前記キャラクタを表示する際、前記制御部は、
１フレーム期間毎に、前記正極性の散乱電圧と前記負極性の散乱電圧とを前記第１表示機能層に交互に印加する、
請求項２に記載の表示装置。
【請求項９】
前記第１領域に前記キャラクタを表示する際、前記制御部は、
１フレーム期間毎に、正極性の前記第１透明電圧と負極性の前記第１透明電圧とを前記第２表示機能層に交互に印加し、
前記液晶層に正極性及び負極性の前記散乱電圧をそれぞれ印加した際に前記液晶層に入射される光の散乱度が最も高くなる場合の前記散乱度を１００％とすると、
正極性及び負極性の前記第１透明電圧は、前記散乱度が５０％以下の範囲となる電圧である、
請求項８に記載の表示装置。
【請求項１０】
前記第２透明電圧は０Ｖである、
請求項８又は９に記載の表示装置。
【請求項１１】
第１領域と少なくとも前記第１領域の位置する行の全域を含む対象領域のうち前記第１領域以外の第２領域とを含む表示領域と、前記第１領域に位置する第１画素電極と前記第２領域に位置する第２画素電極とを含みそれぞれ前記表示領域に位置し複数行に設けられた複数の画素電極と、前記表示領域に位置した共通電極と、前記第１画素電極と前記共通電極との間に印加される電圧が印加される第１液晶層と前記第２画素電極と前記共通電極との間に印加される電圧が印加される第２液晶層とを含み前記表示領域に位置しリバース型ポリマーディスパーズド液晶を利用した液晶層と、を有する表示パネルと、
前記表示パネルの前記表示領域と対向する領域の外側に位置し前記液晶層に光を照射する光源ユニットと、
前記複数の画素電極、前記共通電極、及び前記光源ユニットのそれぞれの駆動を制御する制御部と、を備え、
前記表示領域の前記第１領域にキャラクタを表示する際、前記制御部は、
前記第１液晶層に散乱電圧を印加し、前記第１液晶層に入射される光を散乱させ、
前記第２液晶層に第１透明電圧を印加し、前記第２液晶層に入射される光の平行度を維持し、前記第２領域を透明にし、
前記液晶層に前記散乱電圧を印加した際に前記液晶層に入射される光の散乱度が最も高くなる場合の前記散乱度を１００％とすると、
前記第１透明電圧は、前記散乱度が５０％以下の範囲となる電圧である、
表示装置。
【発明の詳細な説明】
【技術分野】
【０００１】
本発明の実施形態は、表示装置に関する。
【背景技術】
【０００２】
近年、入射した光を拡散する拡散状態と入射した光を透過させる透過状態とを切り替え可能な高分子分散液晶（Polymer Dispersed Liquid Crystal：以下、『ＰＤＬＣ』と称する場合がある）パネルを含み、画像を表示するとともに背景を透かして視認することが可能な表示装置が提案されている。このような表示装置においては、１フレーム期間が複数のサブフレーム期間を有し、サブフレーム期間毎に表示色を切り替えながら画像を表示することで多色表示が実現される。
【先行技術文献】
【特許文献】
【０００３】
【特許文献１】国際公開第２０１４／０１７３４４号公報
【発明の概要】
【発明が解決しようとする課題】
【０００４】
本実施形態は、背景の視認性及び表示品位を向上することが可能な表示装置を提供する。
【課題を解決するための手段】
【０００５】
一実施形態に係る表示装置は、
それぞれ表示領域に位置し複数行に設けられた複数の画素電極と、前記表示領域に位置した共通電極と、前記表示領域に位置した表示機能層と、を有する表示パネルと、
前記表示パネルの前記表示領域と対向する領域の外側に位置し前記表示機能層に無彩色以外の色の光を照射する光源ユニットと、
前記複数の画素電極、前記共通電極、及び前記光源ユニットのそれぞれの駆動を制御する制御部と、を備え、
前記表示領域の第１領域にキャラクタを表示する際、前記制御部は、前記第１領域に無彩色以外の色を表示し、少なくとも前記第１領域の位置する行の全域を含む対象領域のうち前記第１領域以外の第２領域を透明にし、前記表示領域のうち前記対象領域以外の非対象領域を透明にし、
前記非対象領域の透明度は、前記第２領域の透明度より高い。
【０００６】
また、一実施形態に係る表示装置は、
第１領域と少なくとも前記第１領域の位置する行の全域を含む対象領域のうち前記第１領域以外の第２領域とを含む表示領域と、前記第１領域に位置する第１画素電極と前記第２領域に位置する第２画素電極とを含みそれぞれ前記表示領域に位置し複数行に設けられた複数の画素電極と、前記表示領域に位置した共通電極と、前記第１画素電極と前記共通電極との間に印加される電圧が印加される第１液晶層と前記第２画素電極と前記共通電極との間に印加される電圧が印加される第２液晶層とを含み前記表示領域に位置しリバース型ポリマーディスパーズド液晶を利用した液晶層と、を有する表示パネルと、
前記表示パネルの前記表示領域と対向する領域の外側に位置し前記液晶層に光を照射する光源ユニットと、
前記複数の画素電極、前記共通電極、及び前記光源ユニットのそれぞれの駆動を制御する制御部と、を備え、
前記表示領域の前記第１領域にキャラクタを表示する際、前記制御部は、
前記第１液晶層に散乱電圧を印加し、前記第１液晶層に入射される光を散乱させ、
前記第２液晶層に第１透明電圧を印加し、前記第２液晶層に入射される光の平行度を維持し、前記第２領域を透明にし、
前記液晶層に前記散乱電圧を印加した際に前記液晶層に入射される光の散乱度が最も高くなる場合の前記散乱度を１００％とすると、
前記第１透明電圧は、前記散乱度が５０％以下の範囲となる電圧である。
【図面の簡単な説明】
【０００７】
【図１】図１は、第１の実施形態における表示装置の構成例を示す平面図である。
【図２】図２は、図１に示した表示装置の断面図である。
【図３】図３は、図１に示した表示装置の主要な構成要素を示す図である。
【図４Ａ】図４Ａは、透明状態の液晶層を模式的に示す図である。
【図４Ｂ】図４Ｂは、散乱状態の液晶層を模式的に示す図である。
【図５Ａ】図５Ａは、液晶層が透明状態である場合の表示パネルを示す断面図である。
【図５Ｂ】図５Ｂは、液晶層が散乱状態である場合の表示パネルを示す断面図である。
【図６】図６は、液晶層の散乱特性を示すグラフである。
【図７Ａ】図７Ａは、１ライン反転駆動の概要を表す図である。
【図７Ｂ】図７Ｂは、２ライン反転駆動の概要を表す図である。
【図７Ｃ】図７Ｃは、フレーム反転駆動の概要を表す図である。
【図８】図８は、表示走査におけるコモン電圧と信号線電圧の一例を示す図である。
【図９】図９は、透明走査におけるコモン電圧と信号線電圧の一例を示す図である。
【図１０】図１０は、透明走査におけるコモン電圧と信号線電圧の他の例を示す図である。
【図１１】図１１は、図３に示したタイミングコントローラの一構成例を示す図である。
【図１２】図１２は、上記表示装置の使用例を示す図であり、単個の対象領域内にキャラクタを表示している状態を示す表示パネルの平面図である。
【図１３Ａ】図１３Ａは、図１２の線ＸＩＩＩ−ＸＩＩＩに沿った表示パネルの断面図である。
【図１３Ｂ】図１３Ｂは、図１３Ａに示した複数の画素電極と、複数の走査線と、複数の信号線と、複数のスイッチング素子との接続関係を示す等価回路である。
【図１４Ａ】図１４Ａは、上記表示装置の他の使用例を示す図であり、２個の対象領域内にそれぞれキャラクタを表示している状態を示す表示パネルの平面図である。
【図１４Ｂ】図１４Ｂは、図１４Ａに示した表示領域の一部を示す拡大平面図である。
【図１５】図１５は、表示動作の一例を示すタイミングチャートである。
【図１６】図１６は、表示動作の他の例を示すタイミングチャートである。
【図１７】図１７は、表示動作の他の例を示すタイミングチャートである。
【図１８】図１８は、表示動作の他の例を示すタイミングチャートである。
【図１９】図１９は、図１１の検出部の処理を示すフローチャートである。
【図２０】図２０は、上記第１の実施形態の変形例１の表示装置の使用例を示す図であり、単個の対象領域内にキャラクタを表示している状態を示す表示パネルの平面図である。
【図２１】図２１は、上記変形例１の表示装置の表示動作の一例を示すタイミングチャートである。
【図２２】図２２は、上記第１の実施形態の変形例２の表示装置の表示動作の一例を示すタイミングチャートである。
【図２３】図２３は、上記第１の実施形態の変形例３の表示装置の使用例を示す図であり、３個の対象領域内にそれぞれキャラクタを表示している状態を示す表示パネルの平面図である。
【図２４】図２４は、上記変形例３の表示装置の表示動作の一例を示すタイミングチャートである。
【図２５】図２５は、上記第１の実施形態の変形例４の表示装置の使用例を示す図であり、２個の対象領域内にそれぞれキャラクタを表示している状態を示す表示パネルの平面図である。
【図２６】図２６は、上記変形例４の表示装置の表示動作の一例を示すタイミングチャートである。
【図２７】図２７は、第２実施形態に係る表示装置の主要な構成要素を示す図である。
【図２８】図２８は、図２７に示したＶｃｏｍ引き込み回路の一構成例を示す図である。
【発明を実施するための形態】
【０００８】
以下に、本発明の各実施の形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【０００９】
各実施形態においては、表示装置の一例として、高分子分散型液晶を適用した表示装置について説明する。各実施形態の表示装置は、例えば、スマートフォン、タブレット端末、携帯電話端末等の種々の装置に用いることができる。
【００１０】
（第１の実施形態）  
図１は、本実施形態における表示装置ＤＳＰの構成例を示す平面図である。  
図１に示すように、第１方向Ｘ及び第２方向Ｙは互いに交差する方向であり、第３方向Ｚは第１方向Ｘ及び第２方向Ｙと交差する方向である。一例では、第１方向Ｘ、第２方向Ｙ、及び第３方向Ｚは、互いに直交しているが、互いに９０度以外の角度で交差していてもよい。本明細書において、第３方向Ｚを示す矢印の先端に向かう方向を上方（あるいは、単に上）と称し、矢印の先端から逆に向かう方向を下方（あるいは、単に下）と称する。
【００１１】
表示装置ＤＳＰは、表示パネルＰＮＬ、配線基板Ｆ１乃至Ｆ５などを備えている。表示パネルＰＮＬは、画像を表示する表示領域ＤＡ、及び、表示領域ＤＡを囲む額縁状の非表示領域ＮＤＡを備えている。表示領域ＤＡは、ｎ本の走査線Ｇ（Ｇ１〜Ｇｎ）、ｍ本の信号線Ｓ（Ｓ１〜Ｓｍ）などを備えている。なお、ｎ及びｍはいずれも正の整数であり、ｎがｍと等しくてもよいし、ｎがｍとは異なっていてもよい。複数の走査線Ｇは、それぞれ第１方向Ｘに延出し、第２方向Ｙに間隔をおいて並んでいる。言い換えると、複数の走査線Ｇは、行方向に延在している。複数の信号線Ｓは、それぞれ第２方向Ｙに延出し、第１方向Ｘに間隔をおいて並んでいる。
【００１２】
表示パネルＰＮＬは、第１方向Ｘに沿った端部Ｅ１及びＥ２と、第２方向Ｙに沿った端部Ｅ３及びＥ４とを有している。非表示領域ＮＤＡの幅について、端部Ｅ１と表示領域ＤＡとの第２方向Ｙに沿った幅Ｗ１は、端部Ｅ２と表示領域ＤＡとの第２方向Ｙに沿った幅Ｗ２より小さい。また、端部Ｅ３と表示領域ＤＡとの第１方向Ｘに沿った幅Ｗ３は、端部Ｅ４と表示領域ＤＡとの第１方向Ｘに沿った幅Ｗ４と同等である。また、幅Ｗ３及びＷ４の各々は、幅Ｗ２より小さい。また、幅Ｗ３及びＷ４の各々は、幅Ｗ１と同等であってもよいし、幅Ｗ１とは異なっていてもよい。
【００１３】
配線基板Ｆ１乃至Ｆ３は、この順に第１方向Ｘに並んでいる。配線基板Ｆ１は、ゲードドライバＧＤ１を備えている。配線基板Ｆ２は、ソースドライバＳＤを備えている。配線基板Ｆ３は、ゲードドライバＧＤ２を備えている。配線基板Ｆ１乃至Ｆ３は、それぞれ表示パネルＰＮＬ及び配線基板Ｆ４に接続されている。配線基板Ｆ５は、タイミングコントローラＴＣや電源回路ＰＣなどを備えている。配線基板Ｆ４は、配線基板Ｆ５のコネクタＣＴに接続されている。なお、配線基板Ｆ１乃至Ｆ３は、単一の配線基板に置換されてもよい。また、配線基板Ｆ１乃至Ｆ４は、単一の配線基板に置換されてもよい。上述したゲードドライバＧＤ１、ゲードドライバＧＤ２、ソースドライバＳＤ、及びタイミングコントローラＴＣは本実施形態の制御部を構成し、上記制御部は後述する複数の画素電極、後述する共通電極、及び後述する光源ユニットのそれぞれの駆動を制御するように構成されている。  
図示した例では、端部Ｅ１の側から奇数番目の走査線ＧがゲートドライバＧＤ２に接続され、偶数番目の走査線ＧがゲートドライバＧＤ１に接続されているが、ゲードドライバＧＤ１及びＧＤ２と各走査線Ｇとの接続関係は図示した例に限らない。
【００１４】
図２は、図１に示した表示装置ＤＳＰの断面図である。ここでは、第２方向Ｙ及び第３方向Ｚによって規定されるＹ−Ｚ平面における表示装置ＤＳＰの断面において、主要部のみを説明する。
【００１５】
図２に示すように、表示パネルＰＮＬは、第１基板ＳＵＢ１、第２基板ＳＵＢ２、表示機能層としての液晶層３０などを備えている。第１基板ＳＵＢ１は、透明基板１０、画素電極１１、配向膜１２などを備えている。第２基板ＳＵＢ２は、透明基板２０、共通電極２１、配向膜２２などを備えている。画素電極１１及び共通電極２１は、例えばインジウム錫酸化物（ＩＴＯ）やインジウム亜鉛酸化物（ＩＺＯ）などの透明導電材料によって形成されている。液晶層３０は、少なくとも表示領域ＤＡに位置している。液晶層３０は、高分子分散液晶を含み、配向膜１２と配向膜２２との間に位置している。本実施形態の液晶層３０は、リバース型ポリマーディスパーズド液晶（R-PDLC：reverse mode polymer dispersed liquid crystal）を利用している。上記の液晶層３０は、印加される電圧が低い場合に入射される光の平行度を維持し、印加される電圧が高い場合に入射される光を散乱させる。第１基板ＳＵＢ１及び第２基板ＳＵＢ２は、シール４０によって接着されている。第１基板ＳＵＢ１は、透明基板２０の端部Ｅ５よりも第２方向Ｙに延出した延出部ＥＸを有している。
【００１６】
配線基板Ｆ１乃至Ｆ３は、第１基板ＳＵＢ１の延出部ＥＸに接続されている。  
光源ユニットＬＵは、発光素子ＬＳ、配線基板Ｆ６などを備えている。発光素子ＬＳは、配線基板Ｆ６に接続され、延出部ＥＸの上に位置している。発光素子ＬＳは、端部Ｅ５と対向する発光部（発光面）ＥＭを有している。発光部ＥＭから出射された照明光は、後述するように、端部Ｅ５に入射し、表示パネルＰＮＬを伝播する。
【００１７】
図３は、図１に示した表示装置ＤＳＰの主要な構成要素を示す図である。  
図３に示すように、表示装置ＤＳＰは、図中に点線で示すコントローラＣＮＴを備えている。コントローラＣＮＴは、タイミングコントローラＴＣ、ゲートドライバＧＤ１及びＧＤ２、ソースドライバＳＤ、Ｖｃｏｍ回路ＶＣ、光源ドライバＬＳＤなどを含んでいる。  
タイミングコントローラＴＣは、外部から入力された画像データや同期信号などに基づいて各種信号を生成する。一例では、タイミングコントローラＴＣは、画像データに基づき、所定の信号処理を行って生成した映像信号をソースドライバＳＤに出力する。また、タイミングコントローラＴＣは、同期信号に基づいて生成した制御信号を、ゲートドライバＧＤ１及びＧＤ２、ソースドライバＳＤ、Ｖｃｏｍ回路ＶＣ、光源ドライバＬＳＤにそれぞれ出力する。タイミングコントローラＴＣの詳細については後述する。
【００１８】
図中に二点鎖線で示す表示領域ＤＡは、複数の画素ＰＸを備えている。各画素ＰＸは、スイッチング素子ＳＷ及び画素電極１１を備えている。スイッチング素子ＳＷは、走査線Ｇ及び信号線Ｓと電気的に接続されている。複数の画素電極１１は、表示領域ＤＡに位置し、マトリクス状に設けられている。このため、例えば、複数の画素電極１１は、複数行に設けられている。画素電極１１は、スイッチング素子ＳＷを介して信号線Ｓに接続されている。共通電極２１は表示領域ＤＡに位置している。共通電極２１は、複数の画素電極１１と対向している。なお、本実施形態と異なり、共通電極２１は、少なくとも１つの画素ＰＸごとに区切られ、各々共通線に接続され、共通のコモン電圧が印加される構成でもよい。走査線Ｇの各々には、ゲートドライバＧＤ１またはＧＤ２から走査信号が供給される。信号線Ｓの各々には、ソースドライバＳＤから映像信号が供給される。共通電極２１には、Ｖｃｏｍ回路ＶＣからコモン電圧が供給される。信号線Ｓに供給された映像信号は、走査線Ｇに供給された走査信号に基づいてスイッチング素子ＳＷが導通状態となった期間に、当該スイッチング素子ＳＷに接続された画素電極１１に印加される。以下の説明においては、画素電極１１に映像信号を与えて画素電極１１と共通電極２１との間に電位差を形成することを、当該画素電極１１を備える画素ＰＸに映像信号を書き込む（或いは電圧を印加する）と記載することがある。
【００１９】
光源ユニットＬＵは、第３方向Ｚに平行な方向において、表示パネルＰＮＬの表示領域ＤＡと対向する領域の外側に位置している。光源ユニットＬＵは、液晶層３０に無彩色以外の色の光を照射するように構成されている。光源ユニットＬＵは、複数色の発光素子ＬＳを備えている。例えば、光源ユニットＬＵは、液晶層３０に第１色の光を照射する発光素子（第１発光素子）ＬＳＲと、液晶層３０に第２色の光を照射する発光素子（第２発光素子）ＬＳＧと、液晶層３０に第３色の光を照射する発光素子（第３発光素子）ＬＳＢと、を備えている。上記の第１色、第２色、及び第３色が、互いに異なる色であることは言うまでもない。本実施形態において、第１色は赤色、第２色は緑色、第３色は青色である。光源ドライバＬＳＤは、これらの発光素子ＬＳＲ、ＬＳＧ、ＬＳＢの点灯期間を制御する。後に詳述するが、１フレーム期間が複数のサブフレーム（フィールド）期間を有する駆動方式においては、各サブフレームにおいて３つの発光素子ＬＳＲ、ＬＳＧ、ＬＳＢのうちの少なくとも１つが点灯し、サブフレーム毎に照明光の色が切り替えられる。
【００２０】
以下に、高分子分散液晶層である液晶層３０を備えた表示装置の一構成例について説明する。  
図４Ａは、透明状態の液晶層３０を模式的に示す図である。  
図４Ａに示すように、液晶層３０は、液晶性ポリマー３１及び液晶性分子３２を含んでいる。液晶性ポリマー３１は、例えば、液晶性モノマーが配向膜１２及び２２の配向規制力によって所定の方向に配向した状態で高分子化されることによって得られる。液晶性分子３２は、液晶性モノマー内に分散されており、液晶性モノマーが高分子化された際に、液晶性モノマーの配向方向に依存して所定の方向に配向される。なお、配向膜１２及び２２は、第１方向Ｘ及び第２方向Ｙによって規定されるＸ−Ｙ平面に沿って液晶性モノマー及び液晶性分子３２を配向させる水平配向膜であってもよいし、第３方向Ｚに沿って液晶性モノマー及び液晶性分子３２を配向させる垂直配向膜であってもよい。
【００２１】
液晶性分子３２は、正の誘電率異方性を有するポジ型であってもよいし、負の誘電率異方性を有するネガ型であってもよい。液晶性ポリマー３１及び液晶性分子３２は、それぞれ同等の光学異方性を有している。あるいは、液晶性ポリマー３１及び液晶性分子３２は、それぞれ略同等の屈折率異方性を有している。つまり、液晶性ポリマー３１及び液晶性分子３２の各々は、常光屈折率及び異常光屈折率が互いに略同等である。なお、常光屈折率及び異常光屈折率のいずれについても、液晶性ポリマー３１及び液晶性分子３２のそれぞれの値が完全に一致していなくても良く、製造誤差などに起因したずれは許容される。また、液晶性ポリマー３１及び液晶性分子３２の各々の電界に対する応答性は異なる。すなわち、液晶性ポリマー３１の電界に対する応答性は、液晶性分子３２の電界に対する応答性より低い。
【００２２】
図４Ａに示した例は、例えば、液晶層３０に電圧が印加されていない状態（画素電極１１と共通電極２１との間の電位差がゼロである状態）、あるいは、液晶層３０に後述する第２透明電圧が印加された状態に相当する。
【００２３】
図４Ａに示すように、液晶性ポリマー３１の光軸Ａｘ１及び液晶性分子３２の光軸Ａｘ２は、互いに平行となる。図示した例では、光軸Ａｘ１及び光軸Ａｘ２は、いずれも第３方向Ｚに平行である。ここでの光軸とは、偏光方向によらず屈折率が１つの値になるような光線の進行方向と平行な線に相当する。
【００２４】
上記の通り、液晶性ポリマー３１及び液晶性分子３２は略同等の屈折率異方性を有しており、しかも、光軸Ａｘ１及びＡｘ２は互いに平行であるため、第１方向Ｘ、第２方向Ｙ、及び、第３方向Ｚを含むあらゆる方向において、液晶性ポリマー３１と液晶性分子３２との間にほとんど屈折率差がない。このため、第３方向Ｚにて液晶層３０に入射した光Ｌ１は、液晶層３０内でほとんど散乱されることなく透過する。液晶層３０は、光Ｌ１の平行度を維持することができる。同様に、第３方向Ｚに対して傾斜した斜め方向に入射した光Ｌ２及びＬ３についても、液晶層３０内でほとんど散乱されることはない。このため、高い透明性が得られる。図４Ａに示した状態を『透明状態』と称する。
【００２５】
図４Ｂは、散乱状態の液晶層３０を模式的に示す図である。  
図４Ｂに示すように、上記の通り、液晶性ポリマー３１の電界に対する応答性は、液晶性分子３２の電界に対する応答性より低い。このため、液晶層３０に上記の第２透明電圧及び後述する第１透明電圧の各々より高い電圧（後述の散乱電圧）が印加された状態では、液晶性ポリマー３１の配向方向がほとんど変化しないのに対して、液晶性分子３２の配向方向は電界に応じて変化する。つまり、図示したように、光軸Ａｘ１は第３方向Ｚとほとんど平行であるのに対して、光軸Ａｘ２は第３方向Ｚに対して傾斜している。このため、光軸Ａｘ１及びＡｘ２は、互いに交差する。したがって、第１方向Ｘ、第２方向Ｙ、及び、第３方向Ｚを含むあらゆる方向において、液晶性ポリマー３１と液晶性分子３２との間に大きな屈折率差が生ずる。これにより、液晶層３０に入射した光Ｌ１乃至Ｌ３は、液晶層３０内で散乱される。図４Ｂに示した状態を『散乱状態』と称する。
【００２６】
図５Ａは、液晶層３０が透明状態である場合の表示パネルＰＮＬを示す断面図である。  
図５Ａに示すように、発光素子ＬＳから出射された照明光Ｌ１１は、端部Ｅ５から表示パネルＰＮＬに入射し、透明基板２０、液晶層３０、透明基板１０などを伝播する。液晶層３０が透明状態である場合、照明光Ｌ１１は、液晶層３０でほとんど散乱されないため、透明基板１０の下面１０Ｂ及び透明基板２０の上面２０Ｔからほとんど漏れ出すことはない。
【００２７】
表示パネルＰＮＬに入射する外部光Ｌ１２は、液晶層３０でほとんど散乱されることなく透過する。つまり、下面１０Ｂから表示パネルＰＮＬに入射した外部光は上面２０Ｔに透過され、上面２０Ｔから入射した外部光は下面１０Ｂに透過される。このため、表示パネルＰＮＬを上面２０Ｔ側から観察した場合には、ユーザは、表示パネルＰＮＬを透かして下面１０Ｂ側の背景を視認することができる。同様に、表示パネルＰＮＬを下面１０Ｂ側から観察した場合には、表示パネルＰＮＬを透かして上面２０Ｔ側の背景を視認することができる。
【００２８】
図５Ｂは、液晶層３０が散乱状態である場合の表示パネルＰＮＬを示す断面図である。  
図５Ｂに示すように、発光素子ＬＳから出射された照明光Ｌ２１は、端部Ｅ５から表示パネルＰＮＬに入射し、透明基板２０、液晶層３０、透明基板１０などを伝播する。図示した例では、画素電極１１Ａと共通電極２１との間の液晶層３０（画素電極１１Ａと共通電極２１との間に印加される電圧が印加される液晶層）は透明状態であるため、照明光Ｌ２１は、液晶層３０のうち画素電極１１Ａと対向する領域でほとんど散乱されない。一方、画素電極１１Ｂと共通電極２１との間の液晶層３０（画素電極１１Ｂと共通電極２１との間に印加される電圧が印加される液晶層）は散乱状態であるため、照明光Ｌ２１は、液晶層３０のうち画素電極１１Ｂと対向する領域で散乱される。照明光Ｌ２１のうち、一部の散乱光Ｌ２１１は上面２０Ｔから外部に放出され、また、一部の散乱光Ｌ２１２は下面１０Ｂから外部に放出される。
【００２９】
画素電極１１Ａと重なる位置では、表示パネルＰＮＬに入射する外部光Ｌ２２は、図５Ａに示した外部光Ｌ１２と同様に、液晶層３０でほとんど散乱されることなく透過する。画素電極１１Ｂと重なる位置では、下面１０Ｂから入射した外部光Ｌ２３は、その一部の光Ｌ２３１が液晶層３０で散乱された後に上面２０Ｔから透過される。また、上面２０Ｔから入射した外部光Ｌ２４は、その一部の光Ｌ２４１が液晶層３０で散乱された後に下面１０Ｂから透過される。
【００３０】
このため、表示パネルＰＮＬを上面２０Ｔ側から観察した場合には、画素電極１１Ｂと重なる位置で照明光Ｌ２１の色を視認することができる。加えて、一部の外部光Ｌ２３１が表示パネルＰＮＬを透過するため、表示パネルＰＮＬを透かして下面１０Ｂ側の背景を視認することもできる。同様に、表示パネルＰＮＬを下面１０Ｂ側から観察した場合には、画素電極１１Ｂと重なる位置で照明光Ｌ２１の色を視認することができる。加えて、一部の外部光Ｌ２４１が表示パネルＰＮＬを透過するため、表示パネルＰＮＬを透かして上面２０Ｔ側の背景を視認することもできる。なお、画素電極１１Ａと重なる位置では、液晶層３０が透明状態であるため、照明光Ｌ２１の色はほとんど視認されず、表示パネルＰＮＬを透かして背景を視認することができる。
【００３１】
図６は、液晶層３０の散乱特性を示すグラフであり、液晶層３０に印加される電圧ＶＬＣと輝度との関係を表している。ここでの輝度は、例えば図５Ｂに示したように、発光素子ＬＳから出射された照明光Ｌ２１が液晶層３０にて散乱した際に得られる散乱光Ｌ２１１の輝度に相当する。他の観点から言えば、この輝度は、液晶層３０の散乱度を表している。
【００３２】
図６に示すように、電圧ＶＬＣを０Ｖから上昇させていくと、輝度は８Ｖ程度から急峻に上昇し、２０Ｖ程度で飽和する。なお、電圧ＶＬＣが０Ｖから８Ｖの間においても、輝度は僅かに上昇する。本実施形態では、２点鎖線で囲った領域、すなわち８Ｖから１６Ｖの範囲の電圧を各画素ＰＸの階調表現（例えば２５６階調）に用いる。以下、８Ｖ＜ＶＬＣ≦１６Ｖの電圧を『散乱電圧』と呼ぶ。また、本実施形態では、一点鎖線で囲った領域、すなわち０Ｖ≦ＶＬＣ≦８Ｖの電圧を『透明電圧』と呼ぶ。透明電圧は、上述した第１透明電圧及び第２透明電圧を含んでいる。なお、散乱電圧及び透明電圧の下限値及び上限値はこの例に限られず、液晶層３０の散乱特性に応じて適宜に定め得る。
【００３３】
ここで、液晶層３０に散乱電圧を印加した際に液晶層３０に入射される光の散乱度が最も高くなる場合の散乱度を１００％とする。ここでは、１６Ｖの散乱電圧を液晶層３０に印加した際の散乱度を１００％としている。例えば、透明電圧は、散乱度（輝度）が１０％未満となる電圧ＶＬＣの範囲と定義することができる。あるいは、透明電圧は、最低階調に対応する電圧（図６の例では８Ｖ）以下の電圧ＶＬＣと定義することもできる。  
また、透明電圧（第１透明電圧及び第２透明電圧）は、図６に示した例と異なっていてもよい。例えば、上記第１透明電圧は、散乱度が１０％以上５０％以下の範囲となる電圧であってもよい。また、上記第２透明電圧は、散乱度が１０％未満の範囲となる電圧であってもよい。
【００３４】
なお、図６に示したグラフは、液晶層３０に印加する電圧の極性が正極性（＋）の場合と、負極性（−）の場合とに適用可能である。後者の場合、電圧ＶＬＣは、負極性の電圧の絶対値である。
【００３５】
表示装置ＤＳＰには、液晶層３０に印加する電圧の極性を反転する極性反転駆動を適用することができる。図７Ａ、図７Ｂ、及び図７Ｃは、極性反転駆動の概要を示す図である。  
図７Ａは、１本の走査線Ｇに接続された一群の画素ＰＸ（１ライン）ごとに、液晶層３０に印加する電圧（画素ＰＸに書き込む電圧）を正極性（＋）と負極性（−）とで反転する１ライン反転駆動を表している。このような駆動方法においては、例えば、ゲートドライバＧＤ１及びＧＤ２が走査線Ｇに走査信号を供給する水平期間ごとに、共通電極２１に供給されるコモン電圧の極性と、ソースドライバＳＤから信号線Ｓに供給される映像信号の極性（信号線電圧の極性）とが反転される。同じ水平期間において、コモン電圧の極性と映像信号の極性は、例えば逆である。
【００３６】
図７Ｂは、２ラインごとに液晶層３０に印加する電圧を正極性（＋）と負極性（−）とで反転する２ライン反転駆動を表している。図７Ａ及び図７Ｂの例に限られず、３つ以上のラインごとに極性を反転してもよい。
【００３７】
図７Ｃは、１つの画像データに応じた画像を表示するフレーム期間ごとに液晶層３０に印加する電圧を正極性（＋）と負極性（−）とで反転するフレーム反転駆動を表している。このような駆動方法においては、例えば、１フレーム期間ごとに、コモン電圧の極性と、映像信号の極性とが反転される。同じフレーム期間において、コモン電圧の極性と映像信号の極性は、例えば逆である。
【００３８】
図８は、図７Ａに示した１ライン反転駆動を適用した表示走査において、共通電極２１に供給されるコモン電圧Ｖｃｏｍと、信号線Ｓ（あるいは画素電極１１）に供給される信号線電圧Ｖｓｉｇとの一例を示す図である。  
図８に示すように、信号線電圧Ｖｓｉｇに関しては、階調の最大値（ｍａｘ）に相当する波形と、階調の最小値（ｍｉｎ）に相当する波形とを示している。ここでは、信号線電圧Ｖｓｉｇ（ｍｉｎ）の波形を実線で示し、コモン電圧Ｖｃｏｍの波形を二点鎖線で示し、信号線電圧Ｖｓｉｇ（ｍａｘ）の波形を破線で示している。この図の例において、コモン電圧Ｖｃｏｍ及び信号線電圧Ｖｓｉｇ（最大値の波形を参照）は、一水平期間Ｈごとに極性反転している。基準電圧Ｖｓｉｇ−ｃは、例えば８Ｖである。コモン電圧Ｖｃｏｍ及び信号線電圧Ｖｓｉｇの各々において、下限値は０Ｖであり、上限値は１６Ｖである。
【００３９】
図８に示す例に限らず、後述する図９の例を含めた極性反転駆動に注目すると、液晶層３０に印加する電圧（画素ＰＸに書き込む電圧）が正極性である場合、信号線電圧Ｖｓｉｇとコモン電圧Ｖｃｏｍとの差（Ｖｓｉｇ−Ｖｃｏｍ）は０Ｖ又は正の電圧値となる。一方、液晶層３０に印加する電圧（画素ＰＸに書き込む電圧）が負極性である場合、信号線電圧Ｖｓｉｇとコモン電圧Ｖｃｏｍとの差（Ｖｓｉｇ−Ｖｃｏｍ）は０Ｖ又は負の電圧値となる。
【００４０】
図８に示す極性反転駆動に注目すると、画素ＰＸに正極性の電圧を書き込む期間において、コモン電圧Ｖｃｏｍは０Ｖとなり、信号線電圧Ｖｓｉｇは８Ｖ以上かつ１６Ｖ以下の範囲で画像データが示す階調に応じた電圧値となる。一方、画素ＰＸに負極性の電圧を書き込む期間において、コモン電圧Ｖｃｏｍは１６Ｖとなり、信号線電圧Ｖｓｉｇは０Ｖ以上かつ８Ｖ以下の範囲で画像データが示す階調に応じた電圧値となる。すなわち、いずれの場合でも、共通電極２１と画素電極１１との間には、８Ｖ以上かつ１６Ｖ以下の電圧が印加される。
【００４１】
図６に示したように、液晶層３０に印加される電圧ＶＬＣが８Ｖであっても、言い換えると液晶層３０に第１透明電圧が印加されても、液晶層３０は０〜１０％程度の散乱度を有している。したがって、信号線電圧Ｖｓｉｇを階調の最小値とした場合であっても、表示パネルＰＮＬに入射する外部光は僅かに散乱され、表示パネルＰＮＬの背景の視認性が低下し得る場合がある。  
このため、後述するが、画素電極１１と共通電極２１との間の電圧を例えば階調の下限値よりも小さくする透明走査（後述するリセット期間における走査）を画像表示のシーケンスに取り入れることで、表示パネルＰＮＬの背景の視認性を向上させることができる。
【００４２】
ここで、ソースドライバＳＤの出力と、コモン電圧Ｖｃｏｍとの関係について説明する。  
ソースドライバＳＤの耐圧の制限などにより、ソースドライバＳＤは、同時に、正極性の信号線電圧Ｖｓｉｇ（例えば基準電圧Ｖｓｉｇ−ｃ〜１６Ｖ）、及び負極性信号線電圧Ｖｓｉｇ（例えば０Ｖ〜基準電圧Ｖｓｉｇ−ｃ）の何れかしか、出力することができない。このため、コモン電圧Ｖｃｏｍの極性をソースドライバＳＤの出力と反対の極性にしている。
【００４３】
但し、高耐圧のソースドライバＳＤを使用する場合、信号線電圧Ｖｓｉｇとコモン電圧Ｖｃｏｍとの関係は、上述した関係であってもよいが、次の関係であってもよい。すなわち、コモン電圧Ｖｃｏｍは０Ｖに固定され、ソースドライバＳＤが出力する信号線電圧Ｖｓｉｇは、正極性時に０〜＋１６Ｖとなり、負極性時に−１６〜０Ｖとなる。
【００４４】
図９は、透明走査におけるコモン電圧Ｖｃｏｍと信号線電圧Ｖｓｉｇの一例を示す図である。ここでは、信号線電圧Ｖｓｉｇの波形を実線で示し、コモン電圧Ｖｃｏｍの波形を二点鎖線で示している。  
図９に示すように、図８の例と同じく、コモン電圧Ｖｃｏｍは、一水平期間Ｈごとに０Ｖと１６Ｖとに交互に切替っている。透明走査においては、水平期間Ｈごとに、信号線電圧Ｖｓｉｇは、コモン電圧Ｖｃｏｍと一致している（Ｖｓｉｇ＝Ｖｃｏｍ＝０Ｖ又はＶｓｉｇ＝Ｖｃｏｍ＝１６Ｖ）。なお、図９においては、信号線電圧Ｖｓｉｇとコモン電圧Ｖｃｏｍの図示の関係上、両者を僅かにずらして表している。このため、液晶層３０には０Ｖが印加される。言い換えると、液晶層３０には第２透明電圧が印加される。
【００４５】
但し、透明走査における信号線電圧Ｖｓｉｇは、図９に示した例に限定されるものではない。例えば、コモン電圧Ｖｃｏｍが０Ｖとなる期間、信号線電圧Ｖｓｉｇは０Ｖを超え８Ｖ未満となってもよい（０Ｖ＜Ｖｓｉｇ＜８Ｖ）。コモン電圧Ｖｃｏｍが１６Ｖとなる期間、信号線電圧Ｖｓｉｇは８Ｖを超え１６Ｖ未満となってもよい（８Ｖ＜Ｖｓｉｇ＜１６Ｖ）。何れにおいても、透明走査によれば、信号線電圧Ｖｓｉｇとコモン電圧Ｖｃｏｍとの差の絶対値が８Ｖ未満となり、液晶層３０を透過する光の平行度が増す。言い換えると、第２透明電圧は０Ｖに限らず、第２透明電圧の絶対値は８Ｖ未満であってもよい。
【００４６】
なお、透明走査では、液晶層３０に印加される電圧が階調の下限値（例えば８Ｖ）未満となればよく、信号線電圧Ｖｓｉｇはコモン電圧Ｖｃｏｍと完全に一致しなくてもよい。上記のように、液晶層３０に散乱電圧を印加した際に液晶層３０に入射される光の散乱度が最も高くなる場合の散乱度を１００％とする。例えば、第２透明電圧は、散乱度が１０％未満となる電圧である方が望ましい。
【００４７】
図１０は、透明走査におけるコモン電圧Ｖｃｏｍと信号線電圧Ｖｓｉｇの他の例を示す図である。ここでは、信号線電圧Ｖｓｉｇの波形を実線で示し、コモン電圧Ｖｃｏｍの波形を二点鎖線で示している。  
図１０に示すように、この例では、透明走査において、コモン電圧Ｖｃｏｍ及び信号線電圧Ｖｓｉｇの極性反転が停止されている。さらに、コモン電圧Ｖｃｏｍ及び信号線電圧Ｖｓｉｇが８Ｖ（上述の基準電圧Ｖｓｉｇ−ｃ）で一致している。なお、コモン電圧Ｖｃｏｍ及び信号線電圧Ｖｓｉｇは、０Ｖなど、基準電圧Ｖｓｉｇ−ｃ以外の電圧で一致してもよい。また、図９に示した場合と同様に、第２透明電圧は、散乱度が１０％未満となる電圧である方が望ましい。  
以上、１ライン反転駆動を例に透明走査を説明したが、２ライン以上のライン反転駆動やフレーム反転駆動にも同様の透明走査を適用できる。
【００４８】
続いて、透明走査を取り入れた表示装置ＤＳＰの制御例につき、図１１乃至図１８を参照して説明する。なお、ここでは、１フレーム期間が複数のサブフレーム（フィールド）期間を有する駆動方式を表示装置ＤＳＰに適用する。このような駆動方式は、例えばフィールドシーケンシャル方式と呼ばれる。各サブフレーム期間においては、赤色、緑色、及び青色の画像がそれぞれ表示される。このように時分割で表示された各色の画像が合わさって、多色表示の画像としてユーザに視認される。
【００４９】
図１１は、図３に示したタイミングコントローラＴＣの一構成例を示す図である。  
図１１に示すように、タイミングコントローラＴＣは、タイミング生成部５０、フレームメモリ５１、ラインメモリ５２Ｒ、５２Ｇ、５２Ｂ、データ変換部５３、光源制御部５４、アドレス検出部である検出部５５などを備えている。
【００５０】
フレームメモリ５１は、外部から入力される１フレーム分の画像データを記憶する。ラインメモリ５２Ｒ、５２Ｇ、５２Ｂは、それぞれ赤色、緑色、及び青色のサブフレームデータを記憶する。各サブフレームデータは、各画素ＰＸに時分割で表示させる赤色、緑色、青色の画像（例えば各画素ＰＸの階調値）を表す。ラインメモリ５２Ｒ、５２Ｇ、５２Ｂが記憶する各色のサブフレームデータは、フレームメモリ５１が記憶する画像データの１つ前のフレームに相当する。データ変換部５３は、ラインメモリ５２Ｒ、５２Ｇ、５２Ｂが記憶する各色のサブフレームデータに対してガンマ補正などの各種のデータ変換処理を施して映像信号を生成し、上述のソースドライバＳＤに出力する。なお、フレームメモリ５１にてＲＧＢのデータに振り分けてデータ変換部５３にＲＧＢのデータを送るようにタイミングコントローラＴＣが構成されていてもよい。この場合、ラインメモリ５２Ｒ、５２Ｇ、５２Ｂ無しに、タイミングコントローラＴＣを構成することも可能である。
【００５１】
光源制御部５４は、光源制御信号を上述の光源ドライバＬＳＤに出力する。光源ドライバＬＳＤは、光源制御信号に基づいて、発光素子ＬＳＲ、ＬＳＧ、ＬＳＢを駆動する。発光素子ＬＳＲ、ＬＳＧ、ＬＳＢは、例えばＰＷＭ（Pulse Width Modulation）制御により駆動することができる。すなわち、光源ドライバＬＳＤは、発光素子ＬＳＲ、ＬＳＧ、ＬＳＢに出力する信号のデューティ比によって、発光素子ＬＳＲ、ＬＳＧ、ＬＳＢの各々の輝度を調整することができる。
【００５２】
タイミング生成部５０は、外部から入力される垂直同期信号Ｖｓｙｎｃ及び水平同期信号Ｈｓｙｎｃに同期して、フレームメモリ５１、ラインメモリ５２Ｒ、５２Ｇ、５２Ｂ、データ変換部５３、及び光源制御部５４の動作タイミングを制御する。また、タイミング生成部５０は、ソースドライバ制御信号を出力するによりソースドライバＳＤを制御するとともに、ゲートドライバ制御信号を出力することによりゲートドライバＧＤ１及びＧＤ２を制御し、Ｖｃｏｍ制御信号を出力する。
【００５３】
検出部５５は、外部から入力される１フレーム分の画像データにキャラクタのデータが含まれている場合、キャラクタのデータのアドレスを検出するように構成されている。上記キャラクタとしては、表示領域ＤＡの一部に表示される文字、図、アイコンなどが挙げられる。また、画像データにキャラクタのデータが含まれている場合とは、ディジタルデータの全てのビットにおいて、一か所でも０以外のデータを含んでいる場合である。キャラクタのデータのアドレス情報は、データ変換部５３に与えられる。このため、タイミングコントローラＴＣは、外部から入力される画像データにキャラクタのデータが含まれている場合、キャラクタを表示する領域以外の領域の散乱度（透明度）を調整するため、加工した映像信号を生成し、ソースドライバＳＤに出力することができる。加工した映像信号を生成する際は、データ変換部５３による演算にて行ったり、タイミングコントローラＴＣのテーブル５６に格納されたデータを利用して行ったり、することができる。
【００５４】
ここで、キャラクタを表示する領域以外の領域の散乱度（透明度）を調整する例について説明する。  
図１２に示すように、ユーザは、背景の「ＡＢＣ」の文字列のうち文字「Ｂ」を表示装置ＤＳＰ越しにみているものとする。この場合、表示領域ＤＡに「ＢＢＢ」の文字列のキャラクタＣＨ１を単に表示した場合、キャラクタＣＨ１が背景の文字「Ｂ」に重なり、ユーザはキャラクタＣＨ１を視認（識別）し難くなる恐れがある。そこで、本実施形態では、キャラクタＣＨ１が背景の文字「Ｂ」に重なる場合においても、ユーザがキャラクタＣＨ１を視認し易くなる技術を提供するものである。又は、背景の影響をユーザが受け難くなる技術を提供するものである。
【００５５】
ここで、表示領域ＤＡのうち、キャラクタＣＨ１を表示する領域を第１領域Ａ１とする。本実施形態において、キャラクタＣＨ１は間隔を置いて並んだ３文字であるため、第１領域Ａ１は不連続な領域である。表示領域ＤＡのうち、少なくとも第１領域Ａ１の位置する行の全域を含む領域を対象領域ＯＡとする。本実施形態において、対象領域ＯＡは、第１領域Ａ１の位置する行の全域だけではなく、第１領域Ａ１より端部Ｅ１側のいくつかの行の全域と、第１領域Ａ１より端部Ｅ２側のいくつかの行の全域と、を含んでいる。また、対象領域ＯＡは、この例では表示領域ＤＡの端部Ｅ１側の端に設定されている。対象領域ＯＡのうち第１領域Ａ１以外の領域を第２領域Ａ２とする。第１領域Ａ１は、諧調電圧の所定の電圧以上である散乱電圧が与えられている画素に対応する領域である。第２領域Ａ２は、第１透明電圧が与えられている画素に対応する領域である。なお、上記第１透明電圧は、諧調電圧の諧調表現が可能になる付近の所定の範囲の電圧である。表示領域ＤＡのうち対象領域ＯＡ以外の領域を非対象領域ＮＯＡとする。上記のように、対象領域ＯＡの画素には散乱電圧又は第１透明電圧が与えられ、非対象領域ＮＯＡの画素には第２透明電圧が与えられる。
【００５６】
図１３Ａには、表示パネルＰＮＬのうち説明に必要な部分のみを示している。また、図１３Ａには、光路を示し、光が液晶層３０で拡散される様子や、光の平行度が液晶層３０で維持される様子も示している。図１３Ｂには、図１３Ａに示した複数の画素電極１１と、複数の走査線Ｇと、複数の信号線Ｓと、複数のスイッチング素子ＳＷとの接続関係を示している。  
図１３Ａ及び図１３Ｂに示すように、複数の画素電極１１は、上記第１領域Ａ１に位置する第１画素電極１１Ｃと、上記第２領域Ａ２に位置する第２画素電極１１Ｄと、上記非対象領域ＮＯＡに位置する第３画素電極１１Ｅと、を含んでいる。例えば、第１画素電極１１Ｃと第２画素電極１１Ｄとは、複数本の走査線Ｇのうち同一の１本の走査線Ｇに電気的に接続されている。第３画素電極１１Ｅは、複数本の走査線Ｇのうち別の１本の走査線Ｇに電気的に接続されている。各画素電極１１は、対応するスイッチング素子ＳＷのゲート電極に接続され、上記スイッチング素子ＳＷを介して対応する走査線Ｇに電気的に接続されている。
【００５７】
液晶層３０（表示機能層）は、第１画素電極１１Ｃと共通電極２１との間に印加される電圧が印加される第１液晶層３０Ｃ（第１表示機能層）と、第２画素電極１１Ｄと共通電極２１との間に印加される電圧が印加される第２液晶層３０Ｄ（第２表示機能層）と、第３画素電極１１Ｅと共通電極２１との間に印加される電圧が印加される第３液晶層３０Ｅ（第３表示機能層）と、を含んでいる。本実施形態において、第１液晶層３０Ｃは第１画素電極１１Ｃと共通電極２１とに挟まれ、第２液晶層３０Ｄは第２画素電極１１Ｄと共通電極２１とに挟まれ、第３液晶層３０Ｅは第３画素電極１１Ｅと共通電極２１とに挟まれている。
【００５８】
複数の画素ＰＸは、第１画素ＰＸＣ、第２画素ＰＸＤ、及び第３画素ＰＸＥを含んでいる。第１画素ＰＸＣは、第１画素電極１１Ｃ、第１液晶層３０Ｃなどを含んでいる。第２画素ＰＸＤは、第２画素電極１１Ｄ、第２液晶層３０Ｄなどを含んでいる。第３画素ＰＸＥは、第３画素電極１１Ｅ、第３液晶層３０Ｅなどを含んでいる。  
液晶層３０（第１液晶層３０Ｃ、第２液晶層３０Ｄ、及び第３液晶層３０Ｅ）は、上記散乱電圧が印加された場合に入射される光を散乱させ、第１透明電圧が印加された場合に入射される光の平行度を維持し、第２透明電圧が印加された場合に入射される光の平行度を維持する。
【００５９】
上記第２透明電圧が印加された場合に液晶層３０を透過する光の平行度は、上記第１透明電圧が印加された場合に液晶層３０を透過する光の平行度より高い。上記第１透明電圧が印加された場合に液晶層３０を透過する光の平行度は、上記散乱電圧が印加された場合に液晶層３０を透過する光の平行度より高い。  
また、上記散乱電圧が印加された場合に液晶層３０を透過する光の散乱度は、上記第１透明電圧が印加された場合に液晶層３０を透過する光の散乱度より高い。上記第１透明電圧が印加された場合に液晶層３０を透過する光の散乱度は、上記第２透明電圧が印加された場合に液晶層３０を透過する光の散乱度より高い。
【００６０】
図１２及び図１３に示すように、表示領域ＤＡの第１領域Ａ１にキャラクタＣＨ１を表示する際、本実施形態の上記制御部は、第１領域Ａ１に無彩色以外の色を表示し、第２領域Ａ２を透明にし、非対象領域ＮＯＡを透明にする。非対象領域ＮＯＡの透明度は、第２領域Ａ２の透明度より高い。本実施形態において、液晶層３０はリバース型ポリマーディスパーズド液晶を利用しているため、第１透明電圧は第２透明電圧より高くなり、散乱電圧は第１透明電圧より高くなる。但し、本実施形態と異なり、液晶層３０がノーマル型ポリマーディスパーズド液晶を利用している場合、第１透明電圧は散乱電圧より高くなり、第２透明電圧は第１透明電圧より高くなる。
【００６１】
このため、上記制御部は、第１液晶層３０Ｃに散乱電圧を印加し、第２液晶層３０Ｄに第１透明電圧を印加し、第３液晶層３０Ｅに第２透明電圧を印加する。第１領域Ａ１にキャラクタＣＨ１を表示する期間のうちの１フレーム期間に注目すると、上記制御部は、光源ユニットＬＵを駆動して液晶層３０に光を照射させ、液晶層３０に光が照射される期間に、第１液晶層３０Ｃに散乱電圧を印加し、第２液晶層３０Ｄに第１透明電圧を印加し、第３液晶層３０Ｅに第２透明電圧を印加する。
【００６２】
キャラクタＣＨ１の色（第１領域Ａ１に表示する色）は、光源ユニットＬＵが発する色に基づくこととなる。このため、上記制御部は、キャラクタＣＨ１の色を、光源ユニットＬＵが発する単色としたり、光源ユニットＬＵが発する複数色の混色としたり、することができる。また、キャラクタＣＨ１を全て単色で表示したり、キャラクタＣＨ１を部分毎に色を異ならせて表示したり、することも可能である。
【００６３】
第１液晶層３０Ｃの光の散乱度は、第２液晶層３０Ｄ及び第３液晶層３０Ｅのそれぞれの光の散乱度より高い。第１液晶層３０Ｃは散乱状態となる。このため、表示パネルＰＮＬ越しに背景をみた場合、第１領域Ａ１において、背景の視認性を最も低下させることができる。  
一方、第３液晶層３０Ｅを通る光の平行度は、第１液晶層３０Ｃ及び第２液晶層３０Ｄのそれぞれを通る光の平行度より高い。第３液晶層３０Ｅは透明状態となる。このため、表示パネルＰＮＬ越しに背景をみた場合、第３領域Ａ３における背景の視認性が最も良好となる。  
また、第２液晶層３０Ｄも透明状態となる。但し、第２液晶層３０Ｄを透過する光の散乱度は、第３液晶層３０Ｅを透過する光の散乱度より高い。表示パネルＰＮＬ越しに背景をみた場合、第２領域Ａ２においては背景をぼかすことができ、第２領域Ａ２における背景の視認性を低下させることができるため、ユーザはキャラクタＣＨ１を視認し易くなる。
【００６４】
次に、キャラクタを表示する領域以外の領域の散乱度（透明度）を調整する他の例について説明する。  
図１４Ａに示すように、ユーザは、図１２の例と同様、背景の文字「Ｂ」を表示装置ＤＳＰ越しにみているものとする。表示領域ＤＡは、複数の対象領域ＯＡを含んでいてもよい。また、各対象領域ＯＡは複数の第１領域Ａ１を有していてもよく、この場合、各対象領域ＯＡに複数のキャラクタＣＨを表示することができる。
【００６５】
ここでは、表示領域ＤＡのうち、「ＢＢＢ」の文字列のキャラクタＣＨ１を表示する領域を第１領域Ａ１ａとし、「１２３」の文字列のキャラクタＣＨ２を表示する領域を第１領域Ａ１ｂとする。表示領域ＤＡのうち、少なくとも第１領域Ａ１ａ，Ａ１ｂの位置する行の全域を含む領域を対象領域ＯＡ１とする。本実施形態において、対象領域ＯＡ１は、第１領域Ａ１ａ，Ａ１ｂの位置する行の全域だけではなく、第１領域Ａ１ａ，Ａ１ｂより端部Ｅ１側のいくつかの行の全域と、第１領域Ａ１ａ，Ａ１ｂより端部Ｅ２側のいくつかの行の全域と、を含んでいる。対象領域ＯＡ１のうち第１領域Ａ１ａ，Ａ１ｂ以外の領域を第２領域Ａ２ａとする。
【００６６】
表示領域ＤＡのうち、「ｉｊ」の文字列のキャラクタＣＨ３を表示する領域を第１領域Ａ１ｃとする。表示領域ＤＡのうち、少なくとも第１領域Ａ１ｃの位置する行の全域を含む領域を対象領域ＯＡ２とする。本実施形態において、対象領域ＯＡ２は、第１領域Ａ１ｃの位置する行の全域だけではなく、第１領域Ａ１ｃより端部Ｅ１側のいくつかの行の全域と、第１領域Ａ１ｃより端部Ｅ２側のいくつかの行の全域と、を含んでいる。
【００６７】
図１４Ａ及び図１４Ｂに示すように、この例では、第１領域Ａ１ｃは第１方向Ｘ及び第２方向Ｙに隙間を置いた４個の不連続の領域を含んでいる。具体的には、第１領域Ａ１ｃは、「ｉ」の下側の領域Ａａと、「ｉ」の上側の領域Ａｂと、「ｊ」の下側の領域Ａｃと、「ｊ」の上側の領域Ａｄと、を含んでいる。この場合、上記データ変換部５３による演算や、テーブル５６に格納されたデータの利用により、第１領域Ａ１ｃにおける第２方向Ｙの隙間に位置する行も、対象領域ＯＡ２に含めることができる。対象領域ＯＡ２のうち第１領域Ａ１ｃ以外の領域を第２領域Ａ２ｂとする。この例では、対象領域ＯＡ１は表示領域ＤＡの端部Ｅ１側の端に設定され、対象領域ＯＡ２は表示領域ＤＡの端部Ｅ２側の端に設定されている。表示領域ＤＡのうち対象領域ＯＡ１，ＯＡ２以外の領域を非対象領域ＮＯＡとする。
【００６８】
第１領域Ａ１ａにキャラクタＣＨ１を表示し、第１領域Ａ１ｂにキャラクタＣＨ２を表示し、第１領域Ａ１ｃにキャラクタＣＨ３を表示する際、本実施形態の上記制御部は、第１領域Ａ１ａ，Ａ１ｂ，Ａ１ｃに無彩色以外の色を表示し、第２領域Ａ２ａ，Ａ２ｂを透明にし、非対象領域ＮＯＡを透明にする。このため、上記制御部は、第１領域Ａ１ａ，Ａ１ｂ，Ａ１ｃの画素に散乱電圧を与え、第２領域Ａ２ａ，Ａ２ｂの画素に第１透明電圧を与え、非対象領域ＮＯＡの画素に第２透明電圧を与える。非対象領域ＮＯＡの透明度は、第２領域Ａ２ａ，Ａ２ｂのそれぞれの透明度より高い。
【００６９】
この場合も、キャラクタＣＨ１，ＣＨ２，ＣＨ３のそれぞれの色を、単色としたり、混色としたり、することができる。キャラクタＣＨ１，ＣＨ２，ＣＨ３毎に色を異ならせて表示したり、キャラクタＣＨ１，ＣＨ２，ＣＨ３を部分毎に色を異ならせて表示したり、することも可能である。表示パネルＰＮＬ越しに背景をみた場合、第２領域Ａ２ａ，Ａ２ｂにおける背景の視認性を低下させることができるため、ユーザはキャラクタＣＨ１，ＣＨ２，ＣＨ３を視認し易くなる。
【００７０】
ここで、表示領域ＤＡに上記キャラクタＣＨ１，ＣＨ２，ＣＨ３を表示する際のコモン電圧Ｖｃｏｍ及び信号線電圧Ｖｓｉｇについて説明する。  
上述したように、ソースドライバＳＤが同時に出力できる信号線電圧Ｖｓｉｇは、正極性の信号線電圧Ｖｓｉｇ、又は負極性の信号線電圧Ｖｓｉｇである。正極性の信号線電圧Ｖｓｉｇは基準電圧Ｖｓｉｇ−ｃ（８Ｖ）〜１６Ｖであり、負極性の信号線電圧Ｖｓｉｇ０Ｖ〜基準電圧Ｖｓｉｇ−ｃ（８Ｖ）である。従って、同一行の複数の画素ＰＸには、正極性の信号線電圧Ｖｓｉｇ、又は負極性の信号線電圧Ｖｓｉｇが与えられる。このため、対象領域ＯＡ１，ＯＡ２の複数の画素ＰＸには、コモン電圧Ｖｃｏｍが０Ｖとなる期間に正極性の信号線電圧Ｖｓｉｇを与え、コモン電圧Ｖｃｏｍが１６Ｖとなる期間に負極性の信号線電圧Ｖｓｉｇを与えることしかできない。  
一方、非対象領域ＮＯＡの複数の画素ＰＸには、コモン電圧Ｖｃｏｍが０Ｖとなる期間に０Ｖの信号線電圧Ｖｓｉｇが与えられ、コモン電圧Ｖｃｏｍが１６Ｖとなる期間に１６Ｖの信号線電圧Ｖｓｉｇが与えられる。
【００７１】
図１５は、表示動作の一例を示すタイミングチャートである。  
図１５に示すように、１フレームの開始時に、垂直同期信号Ｖｓｙｎｃが立ち下がる。すなわち、この例では、垂直同期信号Ｖｓｙｎｃが立ち下がってから、再び立ち下がるまでの時間がフレーム期間（１フレーム期間）Ｆに相当する。例えば６０Ｈｚで表示装置ＤＳＰを駆動する場合、フレーム期間Ｆは約１６．７ｍｓである。
【００７２】
フレーム期間Ｆは、上述の透明走査を実行する第１リセット期間Ｐｒ１と、第１サブフレーム期間ＰｆＲと、第２サブフレーム期間ＰｆＧと、第３サブフレーム期間ＰｆＢと、を含んでいる。各サブフレーム期間Ｐｆは、上述の表示走査を実行する期間に相当する。この例では、第１リセット期間Ｐｒ１がフレーム期間Ｆの先頭の期間である。第１リセット期間Ｐｒ１、第１サブフレーム期間ＰｆＲ、第２サブフレーム期間ＰｆＧ、及び第３サブフレーム期間ＰｆＢは、この順に続いている。但し、この例とは異なり、第１リセット期間Ｐｒ１がフレーム期間Ｆの先頭の期間ではなく、フレーム期間Ｆの最後尾の期間であってもよい。
【００７３】
第１リセット期間Ｐｒ１においては、タイミングコントローラＴＣの制御の下で透明走査が実行される。すなわち、ゲートドライバＧＤ１及びＧＤ２が各走査線Ｇ１〜Ｇｎに走査信号を順に与える。さらに、この走査信号を与える間、ソースドライバＳＤが各信号線Ｓ１〜Ｓｍに、例えばコモン電圧Ｖｃｏｍと同じ値の信号線電圧Ｖｓｉｇを与える。このような動作により、全ての画素ＰＸの画素電極１１と共通電極２１との間に第２透明電圧が書き込まれる。各画素ＰＸの画素電極１１は、対応する走査線Ｇに走査信号が与えられた後は、次に当該走査線Ｇに走査信号が与えられるまで電気的にフローティング状態となる。したがって、第２透明電圧が書き込まれた画素ＰＸにおいては、対応する走査線Ｇに対して次の走査信号が供給されるまで、第２透明電圧が保持される。
【００７４】
第２透明電圧が書き込まれた画素ＰＸにおいては、液晶層３０が良好な透明状態にあるので、表示パネルＰＮＬの背景の視認性が高まる。本実施形態において、第１リセット期間Ｐｒ１においては、発光素子ＬＳＲ，ＬＳＧ，ＬＳＢはいずれも消灯している。なお、発光素子ＬＳＲ，ＬＳＧ，ＬＳＢは、第１リセット期間Ｐｒ１に消灯している方が望ましいが、第１リセット期間Ｐｒ１に点灯していてもよい。  
第１リセット期間Ｐｒ１において各信号線Ｓ１〜Ｓｍに供給する信号線電圧Ｖｓｉｇは、各画素ＰＸに書き込まれる電圧が第２透明電圧となる値であれば、コモン電圧Ｖｃｏｍと同じである必要はない。透明走査におけるコモン電圧Ｖｃｏｍと信号線電圧Ｖｓｉｇについては、図９及び図１０を用いて説明した種々の態様を適用し得る。
【００７５】
第１リセット期間Ｐｒ１において各走査線Ｇ１〜Ｇｎに走査信号を順に与える期間は、走査期間Ｐｓ１である。この例では、走査期間Ｐｓ１の直後に第１サブフレーム期間ＰｆＲが到来するため、時間期間に関して、Ｐｒ１＝Ｐｓ１である。第１リセット期間Ｐｒ１は、走査期間Ｐｓ１の後に、第２透明電圧をさらに保持するための保持期間を含んでもよい。  
なお、透明走査においては、全ての走査線Ｇに対して走査信号を同時に与えてもよい。この場合であっても、各画素ＰＸに第２透明電圧を書き込むことができる。
【００７６】
第１サブフレーム期間ＰｆＲ、第２サブフレーム期間ＰｆＧ、及び第３サブフレーム期間ＰｆＢはこの順に続いているが、この例と異なり、これらのサブフレーム期間Ｐｆの順番は異なっていてもよい。各サブフレーム期間Ｐｆにおいては、タイミング生成部５０がフレームメモリ５１、ラインメモリ５２Ｒ、５２Ｇ、５２Ｂ、データ変換部５３をデータ同期信号ＤＥにより制御したり、検出部５５及びテーブル５６を利用したりして、各色の表示走査を実行させる。
【００７７】
第１サブフレーム期間ＰｆＲは、走査期間ＰｓＲと、保持期間ＰｈＲとを含んでいる。走査期間ＰｓＲにおいては、ゲートドライバＧＤ１及びＧＤ２が各走査線Ｇ１〜Ｇｎに走査信号を順に与える。さらに、この走査信号を与える間、ソースドライバＳＤがラインメモリ５２Ｒに記憶された赤色のサブフレームデータ（Ｒ＿ＤＡＴＡ）に応じた信号線電圧Ｖｓｉｇを各信号線Ｓ１〜Ｓｍに与える。より具体的には、走査信号が供給されたラインの各画素ＰＸに対応する階調の信号線電圧Ｖｓｉｇを一斉に各信号線Ｓ１〜Ｓｍに与える動作が繰り返される。信号線電圧Ｖｓｉｇは、選択された走査線Ｇに対応する画素ＰＸの画素電極１１にスイッチング素子ＳＷを介して与えられ、その後スイッチング素子ＳＷが非導通状態に切替えられることで、画素電極１１の電位が保持される。その後、次の行の走査線Ｇが選択され、同様の駆動が順次行われる。但し、第２領域Ａ２，Ａ２ａ，Ａ２ｂに位置する第２画素ＰＸＤに与える信号線電圧Ｖｓｉｇは、基準電圧Ｖｓｉｇ-ｃであり、例えば８Ｖに調整されている（図８）。
【００７８】
このような動作により、各画素ＰＸの画素電極１１と共通電極２１との間に、赤色のサブフレームデータに応じた電圧が書き込まれる。各サブフレーム期間Ｐｆにおいて、各信号線Ｓ１〜Ｓｍを介して各画素電極１１に供給される信号線電圧Ｖｓｉｇは、共通電極２１のコモン電圧Ｖｃｏｍと極性が異なるか、或いは基準電圧Ｖｓｉｇ-ｃである。したがって、各画素ＰＸに書き込まれる電圧の絶対値は、８Ｖ以上かつ１６Ｖ以下である。保持期間ＰｈＲは、全ての画素ＰＸへの書き込みが完了してから、第２サブフレーム期間ＰｆＧ
が到来するまでの期間である。この保持期間ＰｈＲにおいて、発光素子ＬＳＲが赤色の光を照射する。これにより、赤色の画像が表示領域ＤＡに表示される。
【００７９】
第２サブフレーム期間ＰｆＧ、及び第３サブフレーム期間ＰｆＢにおける動作は、第１サブフレーム期間ＰｆＲと同様である。すなわち、第２サブフレーム期間ＰｆＧは走査期間ＰｓＧと保持期間ＰｈＧを含み、走査期間ＰｓＧにおいて各画素ＰＸにラインメモリ５２Ｇが記憶する緑色のサブフレームデータ（Ｇ＿ＤＡＴＡ）に応じた電圧が書き込まれ、保持期間ＰｈＧにおいて発光素子ＬＳＧが緑色の光を照射する。これにより、緑色の画像が表示領域ＤＡに表示される。また、第３サブフレーム期間ＰｆＢは走査期間ＰｓＢと保持期間ＰｈＢを含み、走査期間ＰｓＢにおいて各画素ＰＸにラインメモリ５２Ｂが記憶する青色のサブフレームデータ（Ｂ＿ＤＡＴＡ）に応じた電圧が書き込まれ、保持期間ＰｈＢにおいて発光素子ＬＳＢが青色の光を照射する。これにより、青色の画像が表示領域ＤＡに表示される。
【００８０】
あるフレーム期間Ｆにおいて、次のフレーム期間Ｆで表示する画像データがフレームメモリ５１に書き込まれる。さらに、画素ＰＸへの書き込みが完了したラインメモリ５２Ｒ、５２Ｇ、５２Ｂのサブフレームデータが、フレームメモリ５１に書き込まれた画像データに対応するサブフレームデータにそれぞれ書き換えられる。
【００８１】
第１サブフレーム期間ＰｆＲ、第２サブフレーム期間ＰｆＧ、及び第３サブフレーム期間ＰｆＢにおいて時分割で表示された赤色、緑色、青色の画像が混合されることで、多色表示の画像としてユーザに視認される。また、第１リセット期間Ｐｒ１においては、各画素ＰＸの画素電極１１と共通電極２１との間に、第２透明電圧が印加される。このような第１リセット期間Ｐｒ１がフレーム毎に繰り返されることで、表示領域ＤＡの透明性が高まり、表示領域ＤＡの背景の視認性が向上する。
【００８２】
フレーム期間Ｆにおいて第１リセット期間Ｐｒ１が占める割合が大きいほど表示領域ＤＡの透明性が高まるが、画像の視認性が低下し得る。これらを考慮し、第１リセット期間Ｐｒ１の長さは、例えばフレーム期間Ｆの長さの１／２以下とすることが好ましい。但し、透明性を重視する場合などには、フレーム期間Ｆに占める第１リセット期間Ｐｒ１の割合をより大きくしてもよい。第１サブフレーム期間ＰｆＲ、第２サブフレーム期間ＰｆＧ、及び第３サブフレーム期間ＰｆＢは、例えば同じ長さとすることができる。第１サブフレーム期間ＰｆＲ、第２サブフレーム期間ＰｆＧ、及び第３サブフレーム期間ＰｆＢの比率を異ならせることで、表示画像の色度を調整してもよい。
【００８３】
次に、図１５の表示動作を利用して図１２のようにキャラクタＣＨ１を表示する際の１フレーム期間の表示動作について説明する。  
図１２、図１３、及び図１５に示すように、上記制御部は、第１リセット期間Ｐｒ１に、第１液晶層３０Ｃ、第２液晶層３０Ｄ、及び第３液晶層３０Ｅにそれぞれ第２透明電圧を印加し、光源ユニットＬＵを液晶層３０に光を照射しない消灯状態に切替える。上記制御部は、第１サブフレーム期間ＰｆＲ、第２サブフレーム期間ＰｆＧ、及び第３サブフレーム期間ＰｆＢの全ての期間に、第２液晶層３０Ｄに第１透明電圧を印加し、第３液晶層３０Ｅに第２透明電圧を印加する。上記制御部は、第１サブフレーム期間ＰｆＲ、第２サブフレーム期間ＰｆＧ、及び第３サブフレーム期間ＰｆＢの一以上のサブフレーム期間に、第１液晶層３０Ｃに散乱電圧を印加する。
【００８４】
ここで、上記表示動作に極性反転駆動を適用した場合について説明する。  
図１２、図１３、及び図１５に示すように、散乱電圧は、正極性の散乱電圧と、負極性の散乱電圧と、を有している（図８）。正極性の散乱電圧とは、例えば８〜１６Ｖであい、負極性の散乱電圧とは例えば０〜８Ｖである。第１領域Ａ１にキャラクタＣＨ１を表示する際、上記制御部は、１フレーム期間毎に、正極性の散乱電圧と負極性の散乱電圧とを第１液晶層３０Ｃに交互に印加する。この際、上記制御部は、１フレーム期間毎に、正極性の第１透明電圧と負極性の第１透明電圧とを第２液晶層３０Ｄに交互に印加する。この際、上記制御部は、各フレーム期間に、第２透明電圧を第２液晶層３０Ｄに印加する。  
正極性の第１透明電圧及び負極性の第１透明電圧の絶対値は、それぞれ、正極性の散乱電圧の最大値の半分であり、負極性の散乱電圧の絶対値の最大値の半分である。例えば図８に示す例では、正極性の第１透明電圧及び負極性の第１透明電圧の絶対値はそれぞれ８Ｖであり、正極性の散乱電圧の最大値及び負極性の散乱電圧の絶対値の最大値は、それぞれ１６Ｖである。例えば、第１透明電圧及び散乱電圧が何れの極性であっても、第１透明電圧の絶対値は、散乱電圧の絶対値の最大値の半分である。但し、上記の例に限定されるものではなく、正極性及び負極性の第１透明電圧は、散乱度が５０％以下の範囲となる電圧であればよい。
【００８５】
次に、図１５に示した表示動作と異なる表示動作について説明する。例えば、１フレーム期間が複数のリセット期間Ｐｒを含んでいてもよい。図１６は、フレーム期間Ｆに複数のリセット期間Ｐｒが含まれる表示動作の一例を示すタイミングチャートである。  
図１６に示すように、フレーム期間Ｆは、第１リセット期間Ｐｒ１だけではなく、第２リセット期間Ｐｒ２及び第３リセット期間Ｐｒ３をさらに含んでいる。第２リセット期間Ｐｒ２は、第１サブフレーム期間ＰｆＲと第２サブフレーム期間ＰｆＧとの間の期間である。第３リセット期間Ｐｒ３は、第２サブフレーム期間ＰｆＧと第３サブフレーム期間ＰｆＢとの間の期間である。  
この場合、本実施形態の上記制御部は、第２リセット期間Ｐｒ２及び第３リセット期間Ｐｒ３に、第１液晶層３０Ｃ、第２液晶層３０Ｄ、及び第３液晶層３０Ｅにそれぞれ第２透明電圧を印加し、光源ユニットＬＵを液晶層３０に光を照射しない消灯状態に切替える。
【００８６】
第１リセット期間Ｐｒ１、第２リセット期間Ｐｒ２、及び第３リセット期間Ｐｒ３の長さは、例えば同じであるが、異なっていてもよい。透明性と画像の視認性とを両立させる観点から、３つのリセット期間Ｐｒの合計長さは、フレーム期間Ｆの長さの１／２以下である方が好ましい。但し、透明性を重視する場合などには、フレーム期間Ｆに占める各リセット期間Ｐｒの割合をより大きくしてもよい。
【００８７】
表示装置ＤＳＰは、フィールドシーケンシャル方式だけでなく、単一の光源色を用いた表示動作を実行することもできる。図１７は、単一の光源色を用いた表示動作の一例を示すタイミングチャートである。  
図１７に示すように、この例は、フレーム期間Ｆが第１リセット期間Ｐｒ１を含む点で図１５の例と共通する。フレーム期間Ｆは、第１サブフレーム期間ＰｆＲ、第２サブフレーム期間ＰｆＧ、及び第３サブフレーム期間ＰｆＢの替わりに、表示走査を実行する第２期間Ｐ２を含んでいる。第２期間Ｐ２は、走査期間ＰｓＭと、保持期間ＰｈＭとを含む。走査期間ＰｓＭにおいては、画像データに応じた電圧が各画素ＰＸに書き込まれる。保持期間ＰｈＭにおいては、各画素ＰＸに書き込まれた電圧が保持される。
【００８８】
さらに、保持期間ＰｈＭにおいては、表示させる画像の色に応じた発光素子ＬＳが点灯する。発光素子ＬＳの点灯は、図示したように次のフレーム期間Ｆの第１リセット期間Ｐｒ１における各走査線Ｇ１〜Ｇｎの走査が完了するまで継続してもよいし、保持期間ＰｈＭの間のみ継続してもよい。
【００８９】
図１７の例では、赤色の発光素子ＬＳＲと緑色の発光素子ＬＳＧとが点灯している。これにより、赤色と緑色が混合した黄色の光源色が得られ、表示領域ＤＡには黄色の画像が表示される。上述のＰＷＭ制御により発光素子ＬＳを駆動することで、同時に点灯する発光素子ＬＳの色をそれぞれ調整し、種々の光源色を実現することができる。例えば、１フレーム期間において、緑色の発光素子ＬＳＧの点灯期間を、赤色の発光素子ＬＳＲの点灯期間より短くすることができる。なお、表示走査において発光素子ＬＳＲ、ＬＳＧ、ＬＳＢの何れか１つのみ点灯させてもよいし、３つ同時に点灯させてもよい。
【００９０】
また、表示装置ＤＳＰは、図１５及び図１６に示した表示動作と異なる表示動作を利用してもよい。例えば、図１８に示すように、１フレーム期間がリセット期間Ｐｒを含んでいなくともよい。
【００９１】
表示装置ＤＳＰは、例えば外部から入力される制御信号に基づいて、図１５乃至図１８に示した表示動作を切り替え可能であってもよい。また、図１５乃至図１８に示した表示動作のいずれかを実行するように予め設定されていてもよい。
【００９２】
次に、図１１に示した検出部５５による処理について説明する。  
図１９に示すように、検出部５５による処理が開始されると、ステップＳＴ１において、検出部５５にデータが入力され、その後ステップＳＴ２に移行する。ステップＳＴ２において、検出部５５は、ライン単位で入力されたデータを判定し１ライン全て「０」かどうかを判断する。言い換えると、検出部５５は、一行の全ての画素ＰＸに書込む電圧が第２透明電圧となるのかどうかを判断する。さらに言い換えると、検出部５５は、非対象領域ＮＯＡに該当するのかどうかを判定する。
【００９３】
検出部５５が１ライン全て「０」となると判断した場合、ステップＳＴ３に移行し、ステップＳＴ３において入力されたデータを第２透明データに変換し、検出部５５による処理が終了する。なお、上記第２透明データとは、一行の全ての画素ＰＸに書込む電圧をコモン電圧Ｖｃｏｍに対して８Ｖ未満の電圧（最大散乱度を１００％とした場合に、散乱度１０％未満となる電圧）にするためのデータであり、コモン電圧Ｖｃｏｍと一致させることが好ましい。
【００９４】
一方、検出部５５が１ライン全て「０」とはならないと判断した場合、すなわち検出部５５が対象領域ＯＡに該当すると判定した場合、ステップＳＴ４に移行し、ステップＳＴ４において、検出部５５は、表示領域ＤＡに表示するキャラクタのデータサイズを解析する。その後、ステップＳＴ５において、検出部５５は、キャラクタのデータサイズに応じたライン数分の複数の画素ＰＸに、第１透明電圧を書込むか、又はキャラクタを表示するための走査を行ない、検出部５５による処理が終了する。なお、上記第１透明電圧は、上記第１透明電圧に相当する。上記キャラクタを表示するための走査とは、第１領域Ａ１の画素に上記散乱電圧を書込むことに相当する。
【００９５】
上記のように構成された第１の実施形態に係る表示装置ＤＳＰによれば、ユーザがキャラクタＣＨ１を視認し易くなる。又は、ユーザがキャラクタＣＨ１を視認する際に背景の影響を受け難くなる。これにより、背景の視認性及び表示品位を向上することが可能な表示装置ＤＳＰを得ることができる。
【００９６】
また、本実施形態の構成であれば、表示装置ＤＳＰを低耐圧のソースドライバＳＤで駆動することができる。この効果につき、図６及び図８を参照しながら説明する。  
コモン電圧Ｖｃｏｍを直流電圧とし、当該コモン電圧Ｖｃｏｍを中心に信号線電圧Ｖｓｉｇのみ極性反転させる比較例を想定する。この場合、信号線電圧Ｖｓｉｇをコモン電圧Ｖｃｏｍと同じ電圧にすることで、通常の表示走査においても各画素領域の液晶層３０に０Ｖの電圧を印加することができる。但しこの比較例において、図６の散乱電圧を階調表現に用いるためには、信号線電圧Ｖｓｉｇは、コモン電圧Ｖｃｏｍに対して−１６Ｖ〜＋１６Ｖの範囲で可変でなければならない。すなわち、ソースドライバＳＤ等の回路が３２Ｖの耐圧を有する必要がある。
【００９７】
これに対し、本実施形態の構成であれば、図８に示したように信号線電圧Ｖｓｉｇ及びコモン電圧Ｖｃｏｍが例えば１６Ｖの範囲で可変であればよい。すなわち、ソースドライバＳＤ等の回路が１６Ｖの耐圧を有すれば足りる。このように、回路の耐圧を低く抑えることで、回路サイズや製造コストを低減することが可能となる。  
以上の他にも、本実施形態からは種々の好適な効果を得ることができる。
【００９８】
（第１の実施形態の変形例１）  
次に、上記第１の実施形態の変形例１について説明する。  
図２０に示すように、キャラクタＣＨ１を、表示領域ＤＡのうち第２方向Ｙの端の領域以外の領域に表示してもよい。この例では、対象領域ＯＡは、表示領域ＤＡの第２方向Ｙの中央の領域である。対象領域ＯＡより端部Ｅ１側の領域、及び対象領域ＯＡより端部Ｅ２側の領域は、それぞれ非対象領域ＮＯＡである。
【００９９】
次に、図２１の表示動作を利用して図２０のようにキャラクタＣＨ１を表示する際の１フレーム期間の表示動作について説明する。  
図２１、図１３、及び図２０に示すように、フレーム期間Ｆは、第１リセット期間Ｐｒ１、第１サブフレーム期間ＰｆＲ、第２サブフレーム期間ＰｆＧ、及び第３サブフレーム期間ＰｆＢを含んでいる。上記制御部は、第１リセット期間Ｐｒ１に、第１液晶層３０Ｃ、第２液晶層３０Ｄ、及び第３液晶層３０Ｅにそれぞれ第２透明電圧を印加し、光源ユニットＬＵを液晶層３０に光を照射しない消灯状態に切替える。
【０１００】
上記制御部は、第１サブフレーム期間ＰｆＲ、第２サブフレーム期間ＰｆＧ、及び第３サブフレーム期間ＰｆＢの全ての期間に、非対象領域ＮＯＡの複数の画素ＰＸに電気的に接続された全ての走査線Ｇを駆動していない。上記制御部は、上記の期間、対象領域ＯＡの複数の画素ＰＸに電気的に接続された全ての走査線Ｇを駆動し、対応する各画素ＰＸに散乱電圧又は第１透明電圧を印加している。また、最初のリセット期間に共通電極２１と画素電極１１との間の電位差を第２透明電圧にし、非対象領域ＮＯＡの走査線Ｇは駆動させずにスイッチング素子ＳＷはオフの状態を維持している。このため、このような部分は透明状態をキープしている。
【０１０１】
図２１に示した例では、対象領域ＯＡに対応する複数の画素ＰＸのみを選択的に駆動すればよい。非対象領域ＮＯＡの複数の走査線Ｇを駆動しなくともよく、走査期間Ｐｓの全ての期間に信号線Ｓを駆動しなくともよい。このため、表示装置ＤＳＰの駆動電力の低減を図ることができる。
【０１０２】
（第１の実施形態の変形例２）  
次に、上記第１の実施形態の変形例２について説明する。図２０に示したキャラクタＣＨ１を表示する場合、表示装置ＤＳＰは、フィールドシーケンシャル方式だけでなく、単一の光源色を用いた表示動作を実行することもできる。  
図２２、図１３、及び図２０に示すように、この例は、フレーム期間Ｆが第１リセット期間Ｐｒ１を含む点で図２１の例と共通する。フレーム期間Ｆは、第１サブフレーム期間ＰｆＲ、第２サブフレーム期間ＰｆＧ、及び第３サブフレーム期間ＰｆＢの替わりに、第２期間Ｐ２を含んでいる。
【０１０３】
上記制御部は、第２期間Ｐ２に、対象領域ＯＡの複数の画素ＰＸに電気的に接続された全ての走査線Ｇだけではなく非対象領域ＮＯＡの複数の画素ＰＸに電気的に接続された全ての走査線Ｇも駆動している。上記制御部は、非対象領域ＮＯＡの画素ＰＸに第２透明電圧を書込み、対象領域ＯＡの各画素ＰＸに散乱電圧又は第１透明電圧を印加している。  
保持期間ＰｈＭにおいては、表示させる画像の色に応じた発光素子ＬＳが点灯する。発光素子ＬＳの点灯は、図示したように次のフレーム期間Ｆの第１リセット期間Ｐｒ１における各走査線Ｇ１〜Ｇｎの走査が完了するまで継続してもよいし、保持期間ＰｈＭの間のみ継続してもよい。図２２の例では、赤色の発光素子ＬＳＲと緑色の発光素子ＬＳＧとが点灯している。これにより、赤色と緑色が混合した黄色の光源色が得られ、表示領域ＤＡには黄色の画像が表示される。
【０１０４】
なお、本変形例２と異なり、フレーム期間Ｆは、第１リセット期間Ｐｒ１などのリセット期間を含んでいなくともよい。この場合、１フレーム期間に、非対象領域ＮＯＡの画素ＰＸに第２透明電圧が印加され、対象領域ＯＡの各画素ＰＸに散乱電圧又は第１透明電圧が印加される。
【０１０５】
（第１の実施形態の変形例３）  
次に、上記第１の実施形態の変形例３について説明する。  
図２３に示すように、表示領域ＤＡは、端部Ｅ１側の端の対象領域ＯＡ１と、端部Ｅ２側の端の対象領域ＯＡ２と、対象領域ＯＡ１と対象領域ＯＡ２との間の対象領域ＯＡ３と、対象領域ＯＡ１と対象領域ＯＡ３との間の非対象領域ＮＯＡと、対象領域ＯＡ２と対象領域ＯＡ３との間の非対象領域ＮＯＡと、を備えている。対象領域ＯＡ３は、「I II III」の文字列のキャラクタＣＨ４を表示する第１領域Ａ１ｄと、第１領域Ａ１ｄ以外の第２領域Ａ２ｃとを含んでいる。  
複数のキャラクタの色を互いに異ならせることが可能である。この例では、キャラクタＣＨ１を赤色で表示し、キャラクタＣＨ４を緑色で表示し、キャラクタＣＨ３を青色で表示している。
【０１０６】
次に、図２４の表示動作を利用して図２３のようにキャラクタＣＨ１，ＣＨ３，ＣＨ４を表示する際の１フレーム期間の表示動作について説明する。  
図２４、図１３、及び図２３に示すように、フレーム期間Ｆは、第１リセット期間Ｐｒ１、第１サブフレーム期間ＰｆＲ、第２リセット期間Ｐｒ２、第２サブフレーム期間ＰｆＧ、第３リセット期間Ｐｒ３、及び第３サブフレーム期間ＰｆＢを含んでいる。上記制御部は、各々のリセット期間Ｐｒに、第１液晶層３０Ｃ、第２液晶層３０Ｄ、及び第３液晶層３０Ｅにそれぞれ第２透明電圧を印加する。このため、第２リセット期間Ｐｒ２では直前の第１サブフレーム期間ＰｆＲで走査した対象領域ＯＡ１に対して第２透明電圧を書き込む走査が行われ、対象領域ＯＡ１の表示がリセットされる。同様に、第３リセット期間Ｐｒ３では直前の第２サブフレーム期間ＰｆＧで走査した対象領域ＯＡ３に対して第２透明電圧を書き込む走査が行われ、対象領域ＯＡ３の表示がリセットされる。上記制御部は、各走査期間Ｐｓに光源ユニットＬＵを液晶層３０に光を照射しない消灯状態に切替える。
【０１０７】
上記制御部は、第１サブフレーム期間ＰｆＲに、対象領域ＯＡ１の複数の画素ＰＸに電気的に接続された全ての走査線Ｇを駆動し、それ以外の走査線Ｇを駆動していない。なお、対象領域ＯＡ１以外の領域の複数の画素ＰＸは、第１リセット期間Ｐｒ１に書込まれた第２透明電圧をキープしている。そのため、走査線Ｇを駆動しなくても、対象領域ＯＡ１以外の領域では透明をキープすることができる。保持期間ＰｈＲ及び走査期間Ｐｓ２において、発光素子ＬＳＲが赤色の光を照射する。これにより、赤色のキャラクタＣＨ１が対象領域ＯＡ１に表示される。  
上記制御部は、第２サブフレーム期間ＰｆＧに、対象領域ＯＡ３の複数の画素ＰＸに電気的に接続された全ての走査線Ｇを駆動し、それ以外の走査線Ｇを駆動していない。保持期間ＰｈＧ及び走査期間Ｐｓ３において、発光素子ＬＳＧが緑色の光を照射する。これにより、緑色のキャラクタＣＨ４が対象領域ＯＡ３に表示される。  
上記制御部は、第３サブフレーム期間ＰｆＢに、対象領域ＯＡ２の複数の画素ＰＸに電気的に接続された全ての走査線Ｇを駆動し、それ以外の走査線Ｇを駆動していない。保持期間ＰｈＢ及び保持期間ＰｈＢに続く走査期間Ｐｓにおいて、発光素子ＬＳＢが青色の光を照射する。これにより、青色のキャラクタＣＨ３が対象領域ＯＡ２に表示される。
【０１０８】
図２４に示した例では、第１サブフレーム期間ＰｆＲに対象領域ＯＡ１に対応する複数の画素ＰＸのみを選択的に駆動すればよい。第２サブフレーム期間ＰｆＧに対象領域ＯＡ３に対応する複数の画素ＰＸのみを選択的に駆動すればよい。第３サブフレーム期間ＰｆＢに対象領域ＯＡ２に対応する複数の画素ＰＸのみを選択的に駆動すればよい。各サブフレーム期間Ｐｆに対応する対象領域ＯＡ以外の領域の複数の走査線Ｇを駆動しなくともよく、何れの走査期間Ｐｓにおいても全ての期間に信号線Ｓを駆動しなくともよい。このため、表示装置ＤＳＰの駆動電力の低減を図ることができる。
【０１０９】
（第１の実施形態の変形例４）  
次に、上記第１の実施形態の変形例４について説明する。  
図２５に示すように、複数のキャラクタの色を互いに異ならせることが可能である。この例では、キャラクタＣＨ１を赤色と緑色が混合した黄色で表示し、キャラクタＣＨ３を青色で表示している。
【０１１０】
次に、図２６の表示動作を利用して図２５のようにキャラクタＣＨ１，ＣＨ３を表示する際の１フレーム期間の表示動作について説明する。  
図２６、図１３、及び図２５に示すように、フレーム期間Ｆは、第１サブフレーム期間ＰｆＲ、第２サブフレーム期間ＰｆＧ、及び第３サブフレーム期間ＰｆＢを含んでいる。上記制御部は、各走査期間Ｐｓに光源ユニットＬＵを液晶層３０に光を照射しない消灯状態に切替える。
【０１１１】
上記制御部は、第１サブフレーム期間ＰｆＲに、対象領域ＯＡ１の複数の画素ＰＸに電気的に接続された全ての走査線Ｇだけではなく対象領域ＯＡ１以外の領域の複数の画素ＰＸに電気的に接続された全ての走査線Ｇも駆動している。上記制御部は、対象領域ＯＡ１以外の領域の画素ＰＸに第２透明電圧を書込み、対象領域ＯＡ１の各画素ＰＸに散乱電圧又は第１透明電圧を印加している。例えば、第１サブフレーム期間ＰｆＲに、対象領域ＯＡ１以外の領域の複数の画素ＰＸには、コモン電圧Ｖｃｏｍが０Ｖとなる期間であれば０Ｖの信号線電圧Ｖｓｉｇが与えられ、コモン電圧Ｖｃｏｍが１６Ｖとなる期間であれば１６Ｖの信号線電圧Ｖｓｉｇが与えられる。保持期間ＰｈＲにおいて、発光素子ＬＳＲが赤色の光を照射する。これにより、キャラクタＣＨ１を赤色に着色することができる。
【０１１２】
上記制御部は、第２サブフレーム期間ＰｆＧにおいても全ての走査線Ｇを駆動している。上記制御部は、対象領域ＯＡ１以外の領域の画素ＰＸに第２透明電圧を書込み、対象領域ＯＡ１の各画素ＰＸに散乱電圧又は第１透明電圧を印加している。保持期間ＰｈＧにおいて、発光素子ＬＳＧが緑色の光を照射する。これにより、キャラクタＣＨ１を緑色に着色することができる。上記のことから、第１サブフレーム期間ＰｆＲの駆動と第２サブフレーム期間ＰｆＧの駆動とにより、キャラクタＣＨ１を混色の黄色で表示することができる。
【０１１３】
上記制御部は、第３サブフレーム期間ＰｆＢに、対象領域ＯＡ２の複数の画素ＰＸに電気的に接続された全ての走査線Ｇだけではなく対象領域ＯＡ２以外の領域の複数の画素ＰＸに電気的に接続された全ての走査線Ｇも駆動している。上記制御部は、対象領域ＯＡ２以外の領域の画素ＰＸに第２透明電圧を書込み、対象領域ＯＡ２の各画素ＰＸに散乱電圧又は第１透明電圧を印加している。保持期間ＰｈＢにおいて、発光素子ＬＳＢが青色の光を照射する。これにより、キャラクタＣＨ３を青色で表示することができる。
【０１１４】
（第２の実施形態）  
第２実施形態においては、主に第１実施形態との相違点に着目し、第１実施形態と同一の構成については説明を省略する。  
図２７は、本実施形態に係る表示装置ＤＳＰの主要な構成要素を示す図である。  
図２７に示すように、表示装置ＤＳＰは、コントローラＣＮＴがレベル変換回路（Ｌ／Ｓ回路）ＬＳＣ及びＶｃｏｍ引き込み回路ＬＩＣを備える点で、図３に示した構成と相違している。
【０１１５】
Ｖｃｏｍ回路ＶＣから供給されるコモン電圧（Ｖｃｏｍ）は、共通電極２１に供給されるとともに、Ｖｃｏｍ引き込み回路ＬＩＣにも供給される。Ｖｃｏｍ引き込み回路ＬＩＣは、ソースドライバＳＤと各信号線Ｓとの間に介在している。Ｖｃｏｍ引き込み回路ＬＩＣは、ソースドライバＳＤから出力される映像信号を各信号線Ｓに供給する。また、Ｖｃｏｍ引き込み回路ＬＩＣは、Ｖｃｏｍ回路ＶＣからのコモン電圧を各信号線Ｓに供給することもできる。
【０１１６】
図２８は、Ｖｃｏｍ引き込み回路ＬＩＣの一構成例を示す図である。Ｖｃｏｍ引き込み回路ＬＩＣは、スイッチング素子ＳＷ１〜ＳＷｍを備えている。スイッチング素子ＳＷ１〜ＳＷｍは、例えば表示パネルＰＮＬの第１基板ＳＵＢ１に配置されている。スイッチング素子ＳＷ１〜ＳＷｍの入力端（ソース）には配線ＬＮ１が接続され、出力端（ドレイン）には各信号線Ｓ１〜Ｓｍがそれぞれ接続され、制御端（ゲート）には配線ＬＮ２が接続されている。
【０１１７】
図２７に示したＶｃｏｍ回路ＶＣは、配線ＬＮ１にコモン電圧Ｖｃｏｍを供給する。なお、この動作は、非対象領域ＮＯＡの画素ＰＸに第２透明電圧を書込む際の駆動に適用したり、リセット期間の駆動に適用したり、非対象領域ＮＯＡの画素ＰＸに第２透明電圧を書込む際の駆動とリセット期間の駆動の両方に適用したりすることができる。また、タイミングコントローラＴＣは、透明走査を実行する際に、制御信号をレベル変換回路ＬＳＣに出力する。レベル変換回路ＬＳＣは、この制御信号を所定レベルの電圧に変換して配線ＬＮ２に供給する。配線ＬＮ２に制御信号が供給されると、配線ＬＮ１と各信号線Ｓ１〜Ｓｍとが導通し、配線ＬＮ１のコモン電圧Ｖｃｏｍが各信号線Ｓ１〜Ｓｍに供給される。
【０１１８】
このようにコモン電圧Ｖｃｏｍが各信号線Ｓ１〜Ｓｍに供給された状態で、各走査線Ｇ１〜Ｇｎに走査信号が供給されると、各画素電極１１に各信号線Ｓ１〜Ｓｍのコモン電圧Ｖｃｏｍが供給される。すなわち、各画素電極１１と共通電極２１との電位差が０Ｖ（第２透明電圧）となる。
【０１１９】
本実施形態の構成であっても、第１実施形態と同様の透明走査を実行することが可能である。透明走査は、第１実施形態と同様のタイミングで実行することができる。本実施形態の構成であれば、ソースドライバＳＤに透明走査のための電圧（例えばコモン電圧Ｖｃｏｍ）を供給するための回路等を設ける必要が無い。
【０１２０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。必要に応じて、複数の実施形態及び複数の変形例の２以上を組合せることも可能である。
【０１２１】
ラインメモリ５２Ｒ、５２Ｇ、５２Ｂが記憶する各サブフレームデータは、第１色の画像を表す第１サブフレームデータ、第２色の画像を表す第２サブフレームデータ、第３色の画像を表す第３サブフレームデータの一例である。  
第１色、第２色、及び第３色は、それぞれ赤色、緑色、青色に限られない。また、光源ユニットＬＵは、２種類以下の色の発光素子ＬＳを備えてもよいし、４種類以上の色の発光素子ＬＳを備えてもよい。発光素子ＬＳの種類数（色数）に応じて、ラインメモリ、サブフレームデータ、サブフレーム期間の数を増減させればよい。
【０１２２】
液晶層３０は、ノーマル型ポリマーディスパーズド液晶を利用してもよい。上記の液晶層３０は、印加される電圧が高い場合に入射される光の平行度を維持し、印加される電圧が低い場合に入射される光を散乱させる。
【符号の説明】
【０１２３】
ＤＳＰ…表示装置、ＰＮＬ…表示パネル、３０，３０Ｃ，３０Ｄ，３０Ｅ…液晶層、
ＰＸ…画素、Ｇ…走査線、Ｓ…信号線、１１…画素電極、２１…共通電極、
ＣＮＴ…コントローラ、ＴＣ…タイミングコントローラ、５０…タイミング生成部、
５１…フレームメモリ、５２Ｒ，５２Ｇ，５２Ｂ…ラインメモリ、５３…データ変換部、
５４…光源制御部、５５…検出部、５６…テーブル、
ＬＵ…光源ユニット、ＬＳＲ，ＬＳＧ，ＬＳＢ…発光素子、
ＤＡ…表示領域、ＯＡ…対象領域、ＮＯＡ…非対象領域、Ａ１…第１領域、
Ａ２…第２領域、ＣＨ…キャラクタ、
Ｆ…フレーム期間、Ｐｒ…リセット期間、Ｐｆ…サブフレーム期間。
【図１】
2018120024.tif 000003
【図２】
2018120024.tif 000004
【図３】
2018120024.tif 000005
【図４Ａ】
2018120024.tif 000006
【図４Ｂ】
2018120024.tif 000007
【図５Ａ】
2018120024.tif 000008
【図５Ｂ】
2018120024.tif 000009
【図６】
2018120024.tif 000010
【図７Ａ】
2018120024.tif 000011
【図７Ｂ】
2018120024.tif 000012
【図７Ｃ】
2018120024.tif 000013
【図８】
2018120024.tif 000014
【図９】
2018120024.tif 000015
【図１０】
2018120024.tif 000016
【図１１】
2018120024.tif 000017
【図１２】
2018120024.tif 000018
【図１３Ａ】
2018120024.tif 000019
【図１３Ｂ】
2018120024.tif 000020
【図１４Ａ】
2018120024.tif 000021
【図１４Ｂ】
2018120024.tif 000022
【図１５】
2018120024.tif 000023
【図１６】
2018120024.tif 000024
【図１７】
2018120024.tif 000025
【図１８】
2018120024.tif 000026
【図１９】
2018120024.tif 000027
【図２０】
2018120024.tif 000028
【図２１】
2018120024.tif 000029
【図２２】
2018120024.tif 000030
【図２３】
2018120024.tif 000031
【図２４】
2018120024.tif 000032
【図２５】
2018120024.tif 000033
【図２６】
2018120024.tif 000034
【図２７】
2018120024.tif 000035
【図２８】
2018120024.tif 000036